(57)【要約】【課題】主に、既存の遊技盤の大きさを変更することなく、遊技球が転動可能な遊技領域を拡大できる遊技機を提供する。【解決手段】２つの遊技盤２８、３０が前後に設けられているため、前側遊技領域４６と後側遊技領域７２を形成することができる。これにより、２つの遊技領域４６、７２を遊技球が転動していくことになるため、遊技球が最終的にＶ入賞口７６に入賞するか否かについて、遊技者は予測不可能になる。また、前側遊技盤２８の前側遊技領域４６に打ち出された遊技球は、前側遊技領域４６を転動するが、誘導入賞口４８に入球すると、後側遊技盤３０に誘導されて後側遊技盤３０上の後側遊技領域７２を転動していくことになる。このため、既存の前側遊技盤２８の大きさを変更することなく、遊技球が転動可能な遊技領域を大幅に拡大することができる。【選択図】      図６
2008259762.tif 000002
【特許請求の範囲】
【請求項１】
ガラス扉との間に遊技球が転動可能な第１遊技領域を形成する第１遊技盤と、
前記第１遊技盤の後方に配置され、前記第１遊技盤との間に遊技球が転動可能な第２遊技領域を形成する第２遊技盤と、を有する遊技機であって、
前記第１遊技盤には、
遊技球が入球可能な始動口と、
遊技球の前記始動口への入球を契機として開閉動作する開閉部材と、
前記開閉部材が開動作することで遊技球が入球可能となり、該遊技球を前記第２遊技領域に誘導する誘導入賞口と、が設けられ、
前記第２遊技盤には、
前記第２遊技領域を流下する遊技球が入球することで、遊技者に有利な特別遊技を発生させる特別入球口と、
前記特別入球口に入球しなかった遊技球を前記第２遊技領域外に排出させる排出口と、
前記誘導入賞口から前記第２遊技領域に誘導された遊技球の転動進路を変化させるとともに、該遊技球を前記特別入球口又は前記排出口に誘導する誘導部材と、が設けられていることを特徴とする遊技機。
【請求項２】
前記第１遊技盤には、
前記誘導入賞口に入球した遊技球を、前記特別入球口と所定の間隔離れた部位である前記第２遊技領域上の第１誘導部位に導く第１通路と、
前記誘導入賞口に入球した遊技球を前記第２遊技領域であって前記第１誘導部位よりも前記特別入球口寄りの部位である第２誘導部位に導く第２通路と、
前記誘導入賞口に入球した遊技球を前記第１通路又は前記第２通路のいずれかに振り分ける振分部材と、
が設けられていることを特徴とする請求項１に記載の遊技機。
【請求項３】
前記第１遊技盤は、前記第１遊技領域を透過して前記第２遊技領域が視認可能となる透過性部材で構成されていることを特徴とする請求項１又は２に記載の遊技機。
【発明の詳細な説明】
【技術分野】
【０００１】
本発明は、遊技球を用いて遊技を行うパチンコ機に代表される遊技機に関する。
【背景技術】
【０００２】
従来の遊技機の中には、いわゆる「ハネモノタイプ」と言われているパチンコ機が知られている。この種のパチンコ機は、例えば、遊技盤に、普通電動役物を構成する始動入賞口と、開閉動作可能な羽根部材を有する可動入賞装置と、が設けられている。この種のパチンコ機における遊技について概説すると、遊技球が始動入賞口に入賞することにより、可動入賞装置の羽根部材が所定回数だけ開閉動作する。そして、羽根部材が開いたときに可動入賞装置の内部に遊技球が入り、可動入賞装置の内部に設けられた特別入球口（以下、Ｖ入賞口）に入賞することにより、大当り遊技という遊技者にとって有利な遊技状態が発生するものである。
【０００３】
なお、遊技者にとって有利な遊技状態とは、例えば、可動入賞装置の羽根部材の開閉動作の回数が多くなり、可動入賞装置内に入賞した遊技球の個数に応じて遊技球が払い出されるという遊技球払出動作の回数が増加する遊技状態や、遊技盤に特別電動役物を構成する大入賞口が別途設けられている場合に、当該大入賞口を所定回数に亘って開閉動作させ、大入賞口への遊技球の入賞に基づいて払い出される遊技球の賞球数が大幅に増加する遊技状態等を意味する。
【０００４】
この種のパチンコ機として、下記特許文献１に示すパチンコ機が知られている。このパチンコ機の遊技盤の略中央の位置には、遊技盤に対して広い領域を占める可動入賞装置が設けられている。このパチンコ機は、遊技盤に設けられた始動入賞口に遊技球が入賞することにより、可動入賞装置の内部に遊技球が入球可能になる。可動入賞装置の内部に遊技球が入球して、可動入賞装置の内部に設けられたＶ入賞口に入賞すると、大当り遊技などの特別遊技状態が発生することになる。
【特許文献１】特開２００５−８７２６２号公報
【発明の開示】
【発明が解決しようとする課題】
【０００５】
ところで、上記特許文献１に記載されている可動入賞装置は、遊技盤面上において始動入賞口上方に配設されており、可動入賞装置の内部には可動式の誘導部材などが配置されている。すなわち、可動入賞装置の内部に入球した遊技球がＶ入賞口に到達するまで、誘導部材によって遊技球の転動軌跡を変化させるような工夫が施されている。これにより、可動入賞装置の内部に入球した遊技球がＶ入賞口に入賞するか否かについて、遊技者は興奮と興味を持って見守ることができるようになっている。この意味では、可動入賞装置の内部に入球した遊技球の遊技に対しては遊技興趣を高めることができる。
【０００６】
しかしながら、近年では、可動入賞装置の内部に入球した遊技球の遊技性を向上させるために、誘導部材を複雑化および大型化させる傾向があり、遊技盤面上における可動入賞装置が占める領域の割合が増大している。よって、可動入賞装置以外の遊技領域の面積（通常時の遊技球の転動領域）が小さくなる。このため、遊技盤に設ける各種入球口（始動入賞口など）、風車、障害釘などの設置スペースが制限され、多くの入賞口、風車、障害釘を設置することができなくなくなってきている。これにより、発射された遊技球が始動入賞口に入球するまでの遊技球の落下（流下）態様に十分な変化を持たせることができなくなる問題が生じる。
【０００７】
また、前述したように近年の遊技盤面上における可動入賞装置が占める領域は増大する傾向であるが、始動入賞口の下方の遊技領域までは到達できなかった。つまり、誘導部材を大型化させようとしても、可動入賞装置内部に入球した遊技球がＶ入賞口に到達するまでの転動領域としては、始動入賞口上方までの制限があり、誘導部材の複雑化および大型化にも限界があった。したがって、ハネモノタイプの遊技機の遊技性を向上させることが困難であった。
【０００８】
また、特許文献１のようなハネモノタイプの遊技機では、可動入賞装置前面にはガラス枠以外に被覆物が設けられておらず、外部から異物を侵入させて可動入賞装置に対してアクセスする不正行為（ゴト行為）が行われる可能性がある。可動入賞装置の内部には、Ｖ入賞口など遊技球の賞球数に直接関係する部位や賞球払出に関する装置などが設けられているため、可動入賞装置に対してアクセスし易くなると、不正に大当りを発生させられるといった問題が生じる。
【０００９】
そこで、本発明は、ハネモノタイプの遊技機において、既存の遊技盤の大きさを変更することなく、発射された遊技球が始動入賞口に入球するまでに転動可能な遊技領域を拡大し、遊技球の落下（流下）態様に十分な変化を持たせることができる遊技機を提供することを目的とする。
【００１０】
また、本発明は、遊技盤上に設ける各種入賞口、釘、風車などの構成物の設置スペースが制限されることなく、遊技球がＶ入賞口に到達するまでの転動領域（誘導部材の配設される遊技領域）を、従来のハネモノタイプの遊技機よりも拡大することができる遊技機を提供することを目的とする。
【００１１】
さらに、本発明は、Ｖ入賞口などの特別入球口に対する不正行為（ゴト行為）を抑制あるいは防止することができる遊技機を提供することを目的とする。
【課題を解決するための手段】
【００１２】
請求項１に記載の発明は、ガラス扉との間に遊技球が転動可能な第１遊技領域を形成する第１遊技盤と、前記第１遊技盤の後方に配置され、前記第１遊技盤との間に遊技球が転動可能な第２遊技領域を形成する第２遊技盤と、を有する遊技機であって、前記第１遊技盤には、遊技球が入球可能な始動口と、遊技球の前記始動口への入球を契機として開閉動作する開閉部材と、前記開閉部材が開動作することで遊技球が入球可能となり、該遊技球を前記第２遊技領域に誘導する誘導入賞口と、が設けられ、前記第２遊技盤には、前記第２遊技領域を流下する遊技球が入球することで、遊技者に有利な特別遊技を発生させる特別入球口と、前記特別入球口に入球しなかった遊技球を前記第２遊技領域外に排出させる排出口と、前記誘導入賞口から前記第２遊技領域に誘導された遊技球の転動進路を変化させるとともに、該遊技球を前記特別入球口又は前記排出口に誘導する誘導部材と、が設けられていることを特徴とする。
【００１３】
請求項１に記載の発明によれば、第１遊技盤上に打ち出された遊技球は、第１遊技盤上の第１遊技領域を転動していくが、始動口に入球すると、これを契機として誘導入賞口を開放又は閉塞する開閉部材の開閉動作が開始する。そして、開閉部材が開動作して誘導入賞口を開放したときに、誘導入賞口に遊技球が入球可能になる。誘導入賞口に遊技球が入球すると、遊技球は第２遊技盤に誘導される。第２遊技盤に誘導された遊技球は、第２遊技盤上の第２遊技領域を転動していき、誘導部材によって排出口又は特別入球口に誘導される。遊技球が特別入球口（Ｖ入賞口）に入球すると、遊技者に有利な特別遊技が発生する。
【００１４】
このように、各遊技領域を形成する遊技盤が複数（請求項１では２つ）設けられ、第２遊技盤に特別入球口が設けられているので、第１遊技盤に打ち出された遊技球は、先ず、第１遊技盤上の第１遊技領域を転動し、その後、所定の場合に、第２遊技盤に誘導されて第２遊技盤上の第２遊技領域を転動していくことになる。このため、第１遊技領域に従来のような可動入賞装置を設ける必要が無く、第１遊技領域全体を遊技球が転動可能になり、第１遊技領域上に設ける各種入賞口、釘、風車などの構成物の設置スペースが制限されることを防止できる。したがって、発射された遊技球が始動入賞口に到達するまでに転動可能な遊技領域を、従来のハネモノタイプの遊技機に比べて大幅に拡大することができる。
【００１５】
また、請求項１に記載の発明によると、始動入賞口を誘導入賞口と特別入球口の間に配設することもできる。つまり、従来のハネモノタイプの遊技機における可動入球装置の設置面積内に始動口を配設することが可能になり、従来のハネモノタイプの遊技機と比較して始動口の配設位置の自由度を高めることができる。このことからも、誘導入賞口に入球した遊技球が特別入球口に到達するまでの転動態様を、始動入賞口の配設位置に制限されることなく多様なものにすることができ、ハネモノタイプの遊技機の遊技性を向上させることができる。
【００１６】
また、第２遊技領域全体も遊技球が転動可能であるため、第２遊技領域全体を従来の誘導部材として使用できる。よって、誘導入賞口を介して第２遊技領域に誘導された遊技球が特別入球口又は排出口に到達するまでの転動領域を、従来の始動入賞口上方までという制限を受けることなく、大幅に拡大することができる。また、特別入球口に到達するまでの遊技球の転動領域を拡大することにより、遊技球が特別入球口に入球するか否かを遊技者が視認する時間も長くすることができ、ハネモノタイプの遊技機の遊技性を向上させることができる。
【００１７】
さらに、特別入球口が第１遊技盤の後方側の第２遊技盤に設けられているため、遊技者から見て特別入球口は第１遊技盤に遮られた位置関係になる。これにより、特別入球口が第１遊技盤によって被覆されることになり、不正に特別入球口にアクセスする行為（ゴト行為）を抑制あるいは防止することができる。
【００１８】
なお、本明細書において、「前方（前側）」とは、「遊技機を基準とする前方（つまり、遊技者に近接する方向）」を示し、「後方（後側）」とは、遊技機を基準とする後方（つまり、遊技者から離間する方向）」を示す。また、「左（左側）」とは、遊技者から見て「左」であることを示し、「右（右側）」とは、「遊技者から見て右」であることを示す。更に、「上（上側）」とは、遊技者から見て「上」であることを示し、「下（下側）」とは、「遊技者から見て下」であることを意味する。
【００１９】
また、本明細書において、「特別遊技」とは、例えば、入賞により少量の賞球（例えば、１５個以下の賞球）が払い出されること、あるいは多量の賞球（例えば、１００個以上の賞球）が払い出される特別遊技（大当り遊技）が発生することなど、遊技者に対して所定の遊技上の特典が付与される状態を意味する。
【００２０】
請求項２に記載の発明は、請求項１に記載の遊技機において、前記第１遊技盤には、前記誘導入賞口に入球した遊技球を、前記特別入球口と所定の間隔離れた部位である前記第２遊技領域上の第１誘導部位に導く第１通路と、前記誘導入賞口に入球した遊技球を前記第２遊技領域であって前記第１誘導部位よりも前記特別入球口寄りの部位である第２誘導部位に導く第２通路と、前記誘導入賞口に入球した遊技球を前記第１通路又は前記第２通路のいずれかに振り分ける振分部材と、が設けられていることを特徴とする。
【００２１】
請求項２に記載の発明によれば、誘導入賞口に入球した遊技球は、振分部材により第１通路又は第２通路のいずれかに振り分けられる。第１通路に振り分けられた遊技球は、第２遊技領域の上側部位である第１誘導部位に導かれ、第２遊技領域の下側部位に設けられた特別入球口まで比較的長い距離を転動していくことになる。この結果、遊技球は、転動距離が長い分だけ、特別入球口に入球し難くなる。一方、第２誘導部材に振り分けられた遊技球は、第１誘導部位よりも特別入球口寄りの部位である第２誘導部位に導かれ、第２遊技領域の下側部位に設けられた特別入球口まで比較的短い距離を転動していくことになる。この結果、遊技球は、転動距離が短い分だけ、特別入球口に入球し易くなる。特に、第２誘導部位を特別入球口の近傍部位とすることにより、特別入球口への入賞確率を大幅に上げることができるため、遊技性をさらに向上させることができる。
【００２２】
このように、遊技球を第２遊技領域に導く通路が複数設けられているので、遊技者は、遊技球がどちらに振り分けられるかを期待と興奮を持って見守ることになる。この結果、遊技に対する集中力が高まり、遊技性を向上させることができる。また、遊技球を第２遊技領域に導く通路を複数設けた構成でも、全ての通路と振分部材が第１遊技盤側に設けられているので、第２遊技盤側の第２遊技領域が狭くなる（犠牲になる）ことを防止することができる。
【００２３】
請求項３に記載の発明は、請求項１又は２に記載の遊技機において、前記第１遊技盤は、前記第１遊技領域を透過して前記第２遊技領域が視認可能となる透過性部材で構成されていることを特徴とする。
【００２４】
請求項３に記載の発明によれば、第１遊技盤は透過性部材で構成されているため、遊技者から第１遊技領域を透過する形で第２遊技領域を視認することができる。これにより、第２遊技盤の第２遊技領域を転動する遊技球も視認することができるため、第２遊技領域を転動する遊技球が特別入球口に入賞するか否かを期待と興奮を持って見ることができる。この結果、遊技に対する遊技者の集中力及び遊技に対する斬新性が高まり、遊技性を一層向上させることができる。
【００２５】
なお、「透過性部材」とは、無色透明な合成樹脂、プラスチック樹脂などが適しているが、有色であっても透明性があればよい。
【発明を実施するための最良の形態】
【００２６】
次に、本発明の第１実施形態に係る遊技機について、図面を参照して説明する。なお、本実施形態では本発明を弾球遊技機の一例であるパチンコ機に適用した構成を説明する。
【００２７】
（１）パチンコ機の前面側の全体構造
図１及び図２に示すように、パチンコ機（遊技機）１０は、外枠１２と、この外枠１２に装着された遊技機本体１４と、を備えている。この外枠１２は、図３に示すように、パチンコホールの島設備Ｓに設けられた設置部位Ｓ１に固定されるとともに、遊技機本体１４を支持するためのものである。
【００２８】
図１及び図２に示すように、外枠１２は、略矩形状の枠状体によって構成される外枠本体１６と、外枠本体１６の前面下部を覆う前板部１８と、を備えている。このうち外枠本体１６は、上下に一対の水平板１６Ａと、左右に一対の立設板１６Ｂと、を備えている。そして、両水平板１６Ａは、上下に所定の間隔をおいて立設配置されるとともに、左右方向に長尺とされている。また、両立設板１６Ｂは、左右に所定の間隔をおいて立設配置されるとともに、上下方向に長尺とされている。
【００２９】
遊技機本体１４は、外枠１２の左側上下のヒンジＨ１、Ｈ２を用いて、外枠１２の左端側に回動自在に組み付けられている。この遊技機本体１４は、パチンコ機１０のうち外枠１２を除く部分であって、図１に示すように、中枠２０と、前面枠（ガラス扉枠、ガラス扉）２２と、上皿部材２４と、下皿部材２６と、前側遊技盤２８（第１遊技盤）と、後側遊技盤３０（第２遊技盤）と、裏機構盤３１（図３参照）等をその主要部としている。
【００３０】
中枠２０は、外枠１２の内側に嵌めこまれ、外枠１２に対して開閉可能に軸支されている。なお、中枠２０の右端側には、施錠装置３２が装着されている。この施錠装置３２は、中枠２０を外枠１２に施錠したり、前面枠２２や上皿部材を中枠２０に施錠するために用いられる。
【００３１】
中枠２０は、全体がプラスチック製であり、図３に示すように、枠状体によって構成されている。この中枠２０は、上半部に窓部２０Ａを備える枠本体部２０Ｂと、枠本体部２０Ｂの裏面部から略矩形枠状に突出する突出部２０Ｃと、を備えている。そして、中枠２０は、この突出部２０Ｃを用いて前側遊技盤２８及び後側遊技盤３０を保持するための保持部を構成している。この突出部２０Ｃは、枠本体部２０Ｂの裏面部のうちで、枠本体部２０Ｂの周縁部よりも内側であって、窓部２０Ａよりも外側の部位から突出している。そして、突出部２０Ｃの内側の壁面部２０Ｄと、枠本体部２０Ｂの裏面部のうちの窓部２０Ａ周辺に位置するとともに壁面部２０Ｄよりも内側に位置する部位である窓部周辺部２０Ｅとが、略直交する状態とされる。なお、前側遊技盤２８と後側遊技盤３０との間にはスペーサ部材３４が介在しており、前側遊技盤２８と後側遊技盤３０との間の離間距離が任意の離間距離で維持できるように設定されている。
【００３２】
また、突出部２０Ｃの突端面であって、窓部２０Ａの左方側の上下と、窓部２０Ａの右方側の上下には、保持具２１が装着されている。この保持具２１は、突出部２０Ｃの突端面に回動可能な状態で装着され、その回動軸心回りに回動すると、その突端部２１Ａ側を窓部周辺部２０Ｅの後方に配置させる保持状態（図３参照）と、突端部２１Ａ側を窓部周辺部２０Ｅの後方から退避させる解除状態と、を実現することができる。そして、保持具２１を解除状態としつつ、各遊技盤２８、３０の前面部を前方に向けつつ、突出部２０Ｃに嵌合するとともに、前側遊技盤２８の前面部の周縁側を窓部周辺部２０Ｅに当接させる。この後、保持具２１を保持状態とし、この保持状態とされた保持具２１を、後側遊技盤３０の後面部に当接させ、各遊技盤２８、３０が中枠２０により保持された状態となっている。
【００３３】
このように、中枠２０が各遊技盤２８、３０を保持したとき、「前側遊技盤２８の前面部に構成される前側遊技領域４６」を、窓部２０Ａによって、中枠２０の前方から視認することができる。また、詳細は後述するが、前側遊技盤２８の背面側（後方側）には、後側遊技盤３０が配置されており、前側遊技盤２８は透過性部材（無職透明なものが好ましい）で構成されているため、中枠２０の前方から前側遊技盤２８を介して後側遊技盤３０を視認することもできる。
【００３４】
前面枠２２は、ガラス扉枠の具体例を構成するものであり、図１に示すように、中枠２０の前面側に配置され、中枠２０の左端に開閉可能に支持されている。この前面枠２２は、扉枠本体３６と、ガラス板３８と、ガラス板３８を扉枠本体３６に保持させる（取り付ける）ための保持部材（図示省略）と、を備えている。
【００３５】
扉枠本体３６は、レンズ状のプラスチックを主体に構成され、円形状の開口部３６Ａを有している。この開口部３６Ａは、扉枠本体３６の前面部及び後面部を貫通する状態に設けられている。そして、前面枠２２を閉じた状態としたときに、前面枠２２の奥側（後方側）に配置される前側遊技盤２８の盤面（前側遊技領域４６）を、前方（遊技者の側）から視認可能とするためのものである。つまり、この開口部３６Ａは、前側遊技盤２８に形成された前側遊技領域（図４参照）４６の形状に対応して、略円周状に形成されている。
【００３６】
ここで、前側遊技盤２８は透過性部材で構成されているため、前側遊技盤２８の背後に配置される後側遊技盤３０についても、開口部３６Ａの前方側から視認することができる。すなわち、後側遊技盤３０は、開口部３６Ａの前方側（遊技者の側）から、ガラス板３８及び前側遊技盤２８を介して（透過させて）視認することが可能になる。
【００３７】
図２に示すように、前面枠２２において、開口部３６Ａの周縁の部位には、各種のＬＥＤ基板２２Ｂ、２２Ｃ、２２Ｄ、２２Ｅ、２２Ｆ、２２Ｇ、２２Ｈが内蔵されている。また、何れのＬＥＤ基板２２Ｂ〜２２Ｈも、プリント配線基板と、プリント配線基板に搭載された複数のＬＥＤランプと、を備えている。そして、これらのＬＥＤ基板２２Ｂ〜２２Ｈを構成するＬＥＤランプは、目的（遊技効果を高める目的、賞球を報知する目的、パチンコ機１０にエラーが生じたことを報知する目的）に応じて、点灯及び消灯したり、点滅する。
【００３８】
図１及び図２に示すように、前面枠２２の上端部側の左右には、各々、スピーカＳＰ１、ＳＰ２が内蔵されている。また、本パチンコ機１０においては、前板部１８の左右両端にも、スピーカＳＰ３、ＳＰ４が内蔵されている。
【００３９】
遊技機本体２２の前面部のうちで、前面枠２２の下方の部位が、上皿部材２４と下皿部材２６とを備える構成とされている。つまり、上皿部材２４は、前面枠２２の下方に配置され、下皿部材２６は上皿部材２４の下方に配置されている。また、上皿部材２４は、パチンコ機１０の内部の遊技球を、上皿部材２４には移出するための排出口２４Ｂ等を備えている。
【００４０】
また、上皿部材２４の上面部には、球貸操作部２４Ｃと、操作スイッチＳＷが配置されている。また、上皿部材２４の外郭部分も、レンズ状のプラスチックを主体に構成され、上皿部材２４の内部にも、ＬＥＤ基板２２Ｉが内蔵されている（図２参照）。
【００４１】
図１及び図２に示すように、下皿部材２６の略中央には、パチンコ機１０の内部から遊技球を排出するための排出口２６Ａが設けられている。また、下皿部材２６の左端には灰皿２６Ｂが設けられ、下皿部材２６の右端には発射ハンドル４０が設けられている。また、下皿部材２６の底面には球抜き孔（図示省略）が形成されている。この球抜き孔は、通常時には、閉鎖されているが、下皿部材２６に貯留された遊技球をパチンコ機１０から排出する際に開放状態とされる。
【００４２】
発射ハンドル４０は、発射装置ユニット（図示省略）に接続されている。この発射ハンドル４０には、遊技者がハンドルに触れていることを検出するタッチスイッチ４０Ａが装着されており、その近傍には、遊技球の発射を一時的に停止するための発射停止スイッチ４０Ｂが装着されている。また、前述の施錠装置３２は、正面視すると鍵穴を備えた略長方形状を呈し、前面枠２２を閉鎖した場合に施錠するためのものである。
【００４３】
（２）遊技盤の構成
次に、パチンコ機１０に装着される遊技盤について説明する。
図４乃至図６に示すように、本実施形態では、前側遊技盤（第１遊技盤）２８と、前側遊技盤２８の後方に所定の離間距離を維持して配置された後側遊技盤（第２遊技盤）３０と、の２つの遊技盤で構成されている。各遊技盤２８、３０は、上記した中枠２０に保持された構造となっている。
【００４４】
先ず、前側遊技盤２８について説明する。
図４に示すように、前側遊技盤（第１遊技盤）２８の前面部には、ともに帯状の金属板を用いて構成される外側レール４２と、内側レール４４とが配置されている。そして、前側遊技盤２８の前面部において、外側レール４２と内側レール４４とで形成される略円形の周壁によって構成される部位が、前側遊技領域（第１遊技領域）４６となる。換言すれば、前側遊技領域４６は、ガラス扉枠である前面枠２２と前側遊技盤２８との間に形成されるものである。なお、本実施形態では、２本のレール（外側レール４２、内側レール４４）を用いて、前側遊技領域４６の外縁部を構成する態様を例示したが、例えば、１本のレール（Ｃ字状に配設された１本のレール）を用いて前側遊技領域４６の外縁部を構成することもできる。
【００４５】
前側遊技盤２８は、透過性部材で構成されている。具体的には、前側遊技盤２８は、無色透明の合成樹脂、プラスチック樹脂で構成されていることが好ましい。なお、前側遊技盤２８の材質は、後方に配置されている後側遊技盤３０を透過できるものであれば、他の材質でもよい。
【００４６】
前側遊技盤２８の前側遊技領域４６の上側部位であってその略中央の部位には、入球した遊技球を後側遊技盤３０に誘導するための誘導入賞口４８が設けられている。誘導入賞口４８は、前側遊技盤２８の前面部から前側に突出するように設けられた箱状本体部４８Ａと、箱状本体部４８Ａの上面に形成された開口部４８Ｂを開閉動作により入球可能な程度に開放又は入球不可能な程度に閉塞する羽根部材４８Ｃと、を備えている。
【００４７】
詳細には、図６に示すように、箱状本体部４８Ａは、前側遊技盤２８の前面部から前側に突出するように延在した誘導底面部４８Ｄと、誘導底面部４８Ｄの先端部から鉛直上方に向かって前側遊技盤２８の前面部との一定の離間距離を維持するように延在した鉛直壁部４８Ｅと、鉛直壁部４８Ｅ及び誘導底面部４８Ｄの左右側両端部に接続され鉛直壁部４８Ｅ及び誘導底面部４８Ｄを前側遊技盤２８に支持する支持部４８Ｆと、を有している。
【００４８】
また、箱状本体部４８Ａの上面部には、遊技球が入球可能な開口部４８Ｂが形成されている。この開口部４８Ｂの近傍には、上述したように、開口部４８Ｂを、開閉動作により入球可能な程度に開放又は入球不可能な程度に閉塞する羽根部材４８Ｃが設けられている。この羽根部材４８Ｃは、一対の翼片部で構成されており、各翼片部を駆動する駆動部材（図示省略）と機械的に接続されている。すなわち、各翼片部は、駆動部材により駆動可能になり、各翼片部の先端部同士が相互に近接してその離間距離が小さくなることにより開口部４８Ｂを閉塞する。本実施形態では、各翼片部の先端部同士が相互に離間してその離間距離が大きくなることにより開口部４８Ｂを開放する。各翼片部の先端部同士が相互に近接又は離間する動作が、上述した羽根部材４８Ｃの開閉動作になる。なお、羽根部材４８Ｃの開閉動作は、一般電動役物ソレノイド１２２などにより実現可能になる。また、各翼片部に回転軸（図示省略）を取り付け、回転軸をモータ（逗図示省略）などの駆動源により回転駆動して、羽根部材４８Ｃの開閉動作を実現するようにしてもよい。なお、羽根部材４８Ｃの開閉動作の原理は、従来のパチンコ機に用いられている普通電動役物を構成する電動チューリップの開閉動作の原理と同様である。
【００４９】
また、箱状本体部４８Ａで覆われた前側遊技盤２８の一部には、前側遊技盤２８を厚み方向に貫通した連通口５０が形成されている。すなわち、この連通口５０は、正面視にて帯状に開口して開口部のように構成されており、遊技球が通過可能となる大きさに設定されている。なお、この連通口５０の前方には、箱状本体部４８Ａが配置されているため、遊技者側から連通口５０を視認することはできない。
【００５０】
なお、本実施形態では、誘導入賞口４８が、前側遊技盤２８に形成される前側遊技領域４６の上方部位に設けられた構成を示したが、遊技球を後側遊技盤３０に誘導できるものであれば、例えば、前側遊技領域４６の中央部位など、他の部位に設けられていてもよい。ただし、誘導入賞口４８が設けられる位置は、遊技球が転動する後側遊技領域７２の面積を広くするために、遊技球を後側遊技領域７２の上方部位に誘導できる位置が好ましい。誘導入賞口４８を前側遊技盤２８の上方部位に設けることにより、遊技球を後側遊技盤３０の上方部位に誘導することができる。なお、誘導入賞口４８を前側遊技盤２８の下方部位に設けた構成でも、遊技球を後側遊技盤３０の上方部位に移送する遊技球移送手段（磁性ベルト、スクリューネジなど）を設けることにより、遊技球を後側遊技盤３０の上方部位に移送してもよい。
【００５１】
また、前側遊技盤２８上の前側遊技領域４６の誘導入賞口４８の下方に位置する部位には、特別始動口５２が設けられている。特別始動口５２は、前側遊技盤２８の前面部から前側に突出するように設けられた特別始動口本体部５２Ａと、特別始動口本体部５２Ａの上面に形成された特別始動口用開口部５２Ｂと、を備えている。なお、特別始動口５２は、誘導入賞口４８のように羽根部材４８Ｃが設けられた構成ではなく、特別始動口用開口部５２Ｂが常に開放している構造のものである。
【００５２】
詳細には、図６に示すように、特別始動口本体部５２Ａは、前側遊技盤２８の前面部から前側に突出するように延在した特別始動口底面部５２Ｃと、特別始動口底面部５２Ｃの先端部から鉛直上方に向かって前側遊技盤３０の前面部との一定の離間距離を維持するように延在した特別始動口壁部５２Ｄと、特別始動口壁部５２Ｄ及び特別始動口底面部５２Ｃの左右側両端部に接続され特別始動口壁部５２Ｄ及び特別始動口底面部５２Ｃを前側遊技盤２８に支持する特別始動口支持部５２Ｅと、を有している。
【００５３】
また、特別始動口本体部５２Ａで覆われた前側遊技盤２８の一部には、接続口５４が形成されている。すなわち、この接続口５４は、遊技球が通過可能となる大きさに設定されている。なお、この接続口５４の前方には、特別始動口本体部５２Ａが配置されているため、遊技者側から接続口５４を視認することはできない。
【００５４】
また、接続口５４には、遊技球を後側遊技盤３０ではなくパチンコ機１０の遊技球貯留部（図示省略）に導くための特別入賞通路５６が接続されている。このため、特別始動口５２に入球した遊技球は、特別始動口底面部５２Ｃを通過して接続口５４から特別入賞通路５６を経て遊技球貯留部（図示省略）に導かれる。
【００５５】
ここで、特別入賞通路５６の経路途中あるいは経路末端には、特別入賞検出用スイッチ１１２（図７参照）が設けられている。このため、特別始動口５２の内部に遊技球が入球して特別入賞通路５６を通過すると、遊技球が特別入賞検出用スイッチ１１２により検出され、遊技球検出コマンドが主制御基板１０２（図７参照）に出力される。また、特別始動口５２の内部に遊技球が入球し、遊技球検出コマンドが主制御基板１０２（図７参照）に出力されると、抽選処理を経て特別小当り遊技が発生し、一般電動役物ソレノイド１２２が制御される。そして、一般電動役物ソレノイド１２２により誘導入賞口４８の羽根部材４８Ｃが駆動制御され、複数回（例えば、２回）だけ開閉動作する。これにより、誘導入賞口４８の開口部４８Ｂは、羽根部材４８Ｃの開閉動作に伴い、複数回（２回）開放され、開放動作が行われている間（例えば１秒間×２回の間）、遊技球が入球可能になる。
【００５６】
また、図４に示すように、前側遊技盤２８上の前側遊技領域４６の左側部位及び右側部位には、普通始動口５８がそれぞれ設けられている。各普通始動口５８は、前側遊技盤２８の前面部から前側に突出するように設けられた普通始動口本体部５８Ａと、普通始動口本体部５８Ａの上面に形成された普通始動口用開口部５８Ｂと、を備えている。なお、各普通始動口５８は、誘導入賞口４８のように羽根部材４８Ｃが設けられた構成ではなく、普通始動口用開口部５８Ｂが常に開放している構造のものである。
【００５７】
また、各普通始動口５８の構造及び形状は、特別始動口５２と同様に形成されている。各普通始動口５８は、前側遊技盤２８の前面部から前側に突出するように設けられた普通始動口本体部５８Ａと、普通始動口本体部５８Ａの上面に形成された普通始動口用開口部５８Ｂと、を備えている。
【００５８】
前側遊技盤２８の各普通始動口５８の後方の位置には、接続口（図示省略）がそれぞれ設けられている。各接続口には、遊技球を後側遊技盤３０ではなくパチンコ機１０の遊技球貯留部（図示省略）に導くための通常入賞通路（図示省略）が接続されている。このため、通常始動口５８に入球した遊技球は、通常入賞通路（図示省略）を経て遊技球貯留部（図示省略）に導かれる。
【００５９】
ここで、各普通入賞通路の経路途中あるいは経路末端には、普通入賞検出用スイッチ１１４（図７参照）が設けられている。このため、普通始動口４８の内部に遊技球が入球して通常入賞通路を通過すると、遊技球が普通入賞検出用スイッチ１１４により検出され、遊技球検出コマンドが主制御基板１０２（図７参照）に出力される。また、普通始動口５８の内部に遊技球が入球して、遊技球検出コマンドが主制御基板１０２（図７参照）に出力されると、抽選処理を経て普通小当り遊技が発生し、一般電動役物ソレノイド１２２が制御される。そして、一般電動役物ソレノイド１２２により誘導入賞口４８の羽根部材４８Ｃが駆動制御され、単数回（例えば、１回）だけ開閉動作する。これにより、誘導入賞口４８の開口部４８Ｂは、羽根部材４８Ｃの開閉動作に伴い、単数回（１回）開放される。この場合も、誘導入賞口４８の開口部４８Ｂは、羽根部材４８Ｃの開放動作が行われている間（例えば１秒間）、遊技球が入球可能になる。
【００６０】
また、図４に示すように、前側遊技盤２８上の前側遊技領域４６の下側部位であって普通始動口５８の下方の部位には、大入賞装置６０が設けられている。大入賞装置６０は、前側遊技盤２８の前面部に装着された取付板部６０Ａを備えている。取付板部６０Ａは、略中央部において平面形状が略帯状の開口部の表裏を貫通する状態に取り付けられ、この開口部によって大入賞口６０Ｂが構成されている。また、取付板部６０Ａの後方には、大入賞口６０Ｂから入賞する遊技球を通過させるための大入賞口入賞通路（図示省略）が設けられている。
【００６１】
大入賞装置６０は、大入賞口６０Ｂを開放・閉鎖するための開閉板６０Ｃと、この開閉板６０Ｃを駆動するための大入賞口ソレノイド１２４と、大入賞口入賞通路６２の経路途中あるいは経路末端に設けられた大入賞口スイッチ１２４と、検出した入賞球をカウントするカウントスイッチ１１８と、を備えている。大入賞装置６０は、開閉板６０Ｃが起立姿勢となると、この開閉板６０Ｃが大入賞口６０Ｂを閉鎖するため、大入賞口６０Ｂへの遊技球の入賞が不可能になる。一方、開閉板６０Ｃが、その下端部を支点に前方に傾動して前傾姿勢となると、大入賞口６０Ｂが開放され、大入賞口６０Ｂへの遊技球の入賞が可能になる。大入賞口６０Ｂに入賞した遊技球は、大入賞口スイッチ１１６により検出され、遊技球検出コマンドが主制御基板１０２（図７参照）に出力される。また、大入賞口６０Ｂに入賞した遊技球は、カウントスイッチ１１８によりカウントされ、遊技球カウントコマンドが主制御基板１０２（図７参照）に出力される。なお、主制御基板１０２は、大入賞口スイッチ１１６からの遊技球検出コマンドとカウントスイッチ１１８からの遊技球カウントコマンドとに基づいて、大入賞口ソレノイド１２４を制御し、ひいては開閉板６０Ｃの開閉動作を制御する。
【００６２】
また、図４に示すように、前側遊技盤２８上の前側遊技領域４６の最下部位であって大入賞装置６０の下方の部位には、アウト口６４が設けられている。また、このアウト口６４の下部には、バック球防止部材６６が設けられている。このバック球防止部材６６は、前側遊技領域４６に到達せず戻ってきた遊技球が再び発射位置に戻ることを防止している。さらに、内レール４４の先端部には、ファール球防止部材６８が取り付けられている。
【００６３】
また、前側遊技領域４６の全領域に亘って、障害釘７０が取り付けられている。このため、前側遊技領域４６を流下する遊技球は、障害釘７０と接触し、その転動軌跡を変更しながら、前側遊技領域４６を落下していくことになる。この結果、遊技者は、遊技球が大入賞口６０Ｂに入賞するか否かを予測し難くなり、興奮と期待をもってパチンコ遊技に臨むことになるため、遊技性が一層向上する。また、前側遊技領域４６の全領域に亘って、風車やワープ口を設けてもよい。これにより、前側遊技領域４６の遊技球の転動軌跡を複雑にすることができ、遊技性を向上させることができる。
【００６４】
なお、前側遊技領域４６に設けられている障害釘７０の本数を減らしたり、あるいは前側遊技領域４６に障害釘７０を設けない構成を採用してもよい。この場合には、前側遊技領域４６を流下する遊技球の転動軌跡が変化し難くなり、あるいは転動軌跡が変化しなくなるが、遊技者にとって後側遊技盤３０を明確に視認することができるため、後側遊技盤３０を流下する遊技球を一層確認し易くすることができる。
【００６５】
（後側遊技盤の構成）
次に、後側遊技盤３０について説明する。
【００６６】
図５に示すように、後側遊技盤（第２遊技盤）３０は、前側遊技盤２８の後方に配置されている。後側遊技盤３０と前側遊技盤２８とは、所定の離間距離をあけて略平行となるように配置されている。なお、図３に示すように、後側遊技盤３０と前側遊技盤２８との間には、所定長さのスペーサ部材３４が介在しており、後側遊技盤３０と前側遊技盤２８との離間距離が常に一定に維持されるように構成されている。
【００６７】
また、後側遊技盤３０の大きさは、前側遊技盤２８の大きさと同じに設定されていることが好ましいが、後側遊技盤３０が前側遊技盤２８と比較して小さく形成されていてもよい。このとき、前者の場合には、前側遊技盤２８の前側遊技領域４６の面積と後側遊技盤３０の後側遊技領域７２の面積とは同一に設定することが可能になる。後者の場合には、後側遊技盤３０の後側遊技領域７２の面積が前側遊技盤２８の前側遊技領域４６の面積よりも小さくなり、後側遊技領域３０が前側遊技領域４６に隠れてしまうことになるが、前側遊技盤２８が透過性部材で構成されているため、遊技者からは前側遊技盤２８を介して後側遊技領域７２を視認することができる。
【００６８】
なお、後側遊技盤３０が前側遊技盤２８と比較して大きくなるように形成されていてもよい。この場合には、後側遊技盤３０の一部は前側遊技盤２８に遮られることがないため、遊技者から視認可能になる。この結果、前側遊技盤２８を透過性部材で構成する必要がなく、木材や金属板で構成することができる。また、この場合には、前側遊技盤２８が後側遊技盤３０を透過させる必要がないため、前側遊技盤２８に液晶表示装置（図示省略）を設けることができる。この液晶表示装置で任意の図柄からを演出表示させることにより、遊技の面白さを向上させることができる。
【００６９】
また、前側遊技盤２８と後側遊技盤３０との離間距離については、両者の間に介在させているスペーサ部材３４（図３参照）の軸方向長さを変更することにより、容易に調整することができる。例えば、スペーサ部材３４（図３参照）の軸方向長さを長くすることにより、前側遊技盤２８と後側遊技盤３０との離間距離が大きくなるが、この場合には、後側遊技盤３０にセンター役物などの大型の役物（図示省略）を設けることができる。前側遊技盤２８を透過性部材で構成すると、後側遊技盤３０に設けられたセンター役物などの大型の役物も前側遊技盤２８を透過することになり、遊技者は後側遊技盤３０に設けられたセンター役物などの大型の役物を視認することができる。
【００７０】
さらに、後側遊技盤３０も透過性部材で構成してもよい。後側遊技盤３０を透過性部材で構成すると、その背後（後方）に配置された基板類などのパチンコ機構成部品が後側遊技盤３０及び前側遊技盤２８を透過することになり、遊技者から視認可能になる。この結果、斬新なデザインを実現することができ、パチンコ機１０の意匠性を向上させることができる。
【００７１】
後側遊技盤（第２遊技盤）３０の前面部には、帯状の金属板を用いて構成されるレール７４が円形を描くように配置されている。そして、後側遊技盤３０の前面部において、レール７４で囲まれる部位が、後側遊技領域（第２遊技領域）７２となる。換言すれば、この後側遊技領域７２は、前側遊技盤２８と後側遊技盤３０との間に形成されるものである。
【００７２】
後側遊技盤３０は、後側遊技盤３０の後方（背後）に設けられている基板類が透過しない材質で構成されている。具体的には、後側遊技盤３０は、木材や金属板、デザインの施された樹脂製基盤などで構成されていることが好ましい。
【００７３】
また、後側遊技盤３０上の後側遊技領域７２の下側部位には、Ｖ入賞口（特別入球口）７６が設けられている。ここで、特別始動口５２とＶ入賞口７６との関係では、高さ方向において、Ｖ入賞口７６は、特別始動口５２のやや下方の位置に設けられている。このため、前側遊技盤２８の誘導入賞口４８及び特別始動口５２と、後側遊技盤３０のＶ入賞口７６との位置関係では、高さ方向において誘導入賞口４８が最も高い位置にあり、次に、特別始動口５２が高い位置にあり、最後に、Ｖ入賞口７６が位置することになる（高さ方向の位置関係：誘導入賞口４８＞特別始動口５２＞Ｖ入賞口７６）。
【００７４】
図６に示すように、Ｖ入賞口７６は、後側遊技盤３０の前面部から前側に突出するように設けられたＶ入賞口本体部７６Ａと、Ｖ入賞口本体部７６Ａの上面に形成されたＶ入賞口用開口部７６Ｂと、を備えている。なお、Ｖ入賞口７６は、誘導入賞口４８のように羽根部材４８Ｃが設けられた構成ではなく、Ｖ入賞口用開口部７６Ｂが常に開放している構造のものである。
【００７５】
詳細には、Ｖ入賞口本体部７６Ａは、後側遊技盤３０の前面部から前側に突出するように延在したＶ入賞口底面部７６Ｃと、Ｖ入賞口底面部７６Ｃの先端部から鉛直上方に向かって後側遊技盤３０の前面部との一定の離間距離を維持するように延在したＶ入賞口壁部７６Ｄと、Ｖ入賞口壁部７６Ｄ及びＶ入賞口底面部７６Ｃの左右側両端部に接続されＶ入賞口壁部７６Ｄ及びＶ入賞口底面部７６Ｃを後側遊技盤３０に支持するＶ入賞口支持部７６Ｅと、を有している。
【００７６】
また、図６に示すように、Ｖ入賞口本体部７６Ａで覆われた後側遊技盤３０の一部には、接続口７８が形成されている。すなわち、この接続口７８は、遊技球が通過可能となる大きさに設定されている。なお、この接続口７８の前方には、Ｖ入賞口本体部７６Ａが配置されているため、遊技者側から接続口７８を視認することはできない。
【００７７】
また、接続口７８には、遊技球をパチンコ機１０の遊技球貯留部（図示省略）に導くためのＶ入賞通路８０が接続されている。このため、Ｖ入賞口７６に入球した遊技球は、Ｖ入賞口底面部７６Ｃを通過して接続口７８からＶ入賞通路８０を経て遊技球貯留部（図示省略）に導かれる。
【００７８】
ここで、Ｖ入賞通路８０の経路途中あるいは経路末端には、Ｖ入賞検出用スイッチ１８０（図７参照）が設けられている。このため、Ｖ入賞口７６の内部に遊技球が入球してＶ入賞通路８０を通過すると、遊技球がＶ入賞検出用スイッチ１８０により検出され、遊技球検出コマンドが主制御基板１０２（図７参照）に出力される。また、Ｖ入賞口７６の内部に遊技球が入球し、遊技球検出コマンドが主制御基板１０２（図７参照）に出力されると、大当り遊技（特別遊技）が発生し、大入賞口６０Ｂの開閉板６０Ｃが駆動され、複数回（例えば、３回以上）だけ開閉動作する。これにより、大入賞口６０Ｂは、開閉板６０Ｃの開閉動作に伴い、所定の時間だけ複数回開放される。この大当り遊技は、大入賞口６０Ｂが所定時間開放した場合、あるいは大入賞口６０Ｂに所定数の遊技球が入賞した場合に終了する。大入賞口６０Ｂに遊技球が入賞すると、所定数（例えば、１００個以上）の遊技球が上皿部材２４に払い出されるため、大当り遊技は遊技者にとって有利な遊技状態となる。
【００７９】
また、図５に示すように、後側遊技盤３０上の後側遊技領域７２の最下部位であってＶ入賞口７６の下方の部位には、アウト口８２が設けられている。Ｖ入賞口７６に入賞しなかった遊技球は、最終的に、アウト口８２に入球してパチンコ機１０に回収される。
【００８０】
さらに、後側遊技領域７２の全領域に亘って、障害釘（誘導部材）８４が取り付けられている。このため、後側遊技領域７２を流下する遊技球は、障害釘８４と接触し、その転動軌跡を変更しながら、後側遊技領域７２を落下していくことになる。
【００８１】
また、図５に示すように、後側遊技領域７２には、誘導入賞口対応部位Ｖ１の下方近傍には、遊技球の進路を変更するとともに遊技球を任意の方向に誘導する第１誘導板（誘導部材）２００が設けられている。第１誘導板２００は、第１左側誘導板２０２と、第１右側誘導板２０４と、で構成されており、正面視にて「ハ」の字状となるように配置されている。なお、第１右側誘導板２０４は、第１左側誘導板２０２と比較して、軸方向長さが長くなるように設定されている。
【００８２】
また、後側遊技領域７２上であって第１左側誘導板２０２の下側端部の延長上の部位には、第１左側クルーン部（誘導部材）２０６が設けられている。この第１左側クルーン部２０６には、３つの貫通孔２０６Ａ、２０６Ｂ、２０６Ｃが形成されている。第１左側誘導板２０２上を転動してきた遊技球は、第１左側クルーン部２０６に導かれて３つの貫通孔２０６Ａ、２０６Ｂ、２０６Ｃのうち、いずれかの貫通孔に進入する。また、後側遊技領域７２上であって第１左側クルーン部２０６の下方には、第２左側クルーン部（誘導部材）２０８が設けられている。第２左側クルーン部２０８と第１左側クルーン部２０６は、相互の一部が高さ方向において重なる位置関係になっている。また、この第２左側クルーン部２０８には、３つの貫通孔２０８Ａ、２０８Ｂ、２０８Ｃが形成されている。ここで、第１左側クルーン部２０６の３つの貫通孔２０６Ａ、２０６Ｂ、２０６Ｃのうち一の貫通孔２０６Ｃの真下には、第２左側クルーン部２０８の３つの貫通孔２０８Ａ、２０８Ｂ、２０８Ｃのうち一の貫通孔２０８Ａが位置するように設定されている。このため、第１左側クルーン部２０６の貫通孔２０６Ｃから落下した遊技球は、第２左側クルーン部２０８に導かれて第２左側クルーン部２０８の貫通孔２０８Ａに進入し易くなる。なお、第１左側クルーン部２０６の他の貫通孔２０６Ａ、２０６Ｂから落下した遊技球は、第２左側クルーン部２０８以外である後側遊技領域７２上の他の部位に導かれ易くなる。
【００８３】
また、後側遊技領域７２上であって第１右側誘導板２０４の下側端部の延長上の部位には、第１右側クルーン部（誘導部材）２１０が設けられている。この第１右側クルーン部２１０には、３つの貫通孔２１０Ａ、２１０Ｂ、２１０Ｃが形成されている。
【００８４】
また、後側遊技領域７２上であって第２左側クルーン部２０８の下方には、第２左側誘導板２１４が設けられている。第２左側誘導板２１４の上側端部は、第２左側クルーン部２０８の貫通孔２０８Ｂの真下に位置しており、第２左側クルーン部２０８の貫通孔２０８Ｂを落下した遊技球が第２左側誘導板２１４上を介してＶ入賞口７６に導かれ易くなっている。
【００８５】
また、後側遊技領域７２上であって第１右側クルーン部２１０の下方には、第２右側誘導板２１６が設けられている。第２右側誘導板２１６の上側端部は、第１右側クルーン部２１０の貫通孔２１０Ｃの真下に位置しており、第１右側クルーン部２１０の貫通孔２１０Ｃを落下した遊技球が第２右側誘導板２１６上を介してＶ入賞口７６に導かれ易くなっている。
【００８６】
なお、第２左側誘導板２１４と第２右側誘導板２１６とで、第２誘導板（誘導部材）２１２が構成されており、正面視にて「逆ハ」の字状となるように配置されている。なお、第２右側誘導板２１６は、第２左側誘導板２１４と比較して、軸方向長さが長くなるように設定されている。
【００８７】
上記後側遊技盤３０の構成によれば、後側遊技盤３０に誘導された遊技球が第１左側誘導板２０２上を転動すると、第１左側クルーン部２０６側に誘導される。そして、第１左側クルーン部２０６側に誘導された遊技球が第１左側クルーン部２０６の３つの貫通孔２０６Ａ、２０６Ｂ、２０６Ｃのうち一の貫通孔２０６Ｃに進入すると、第２左側クルーン部２０８側に誘導される。第２左側クルーン部２０８側に誘導された遊技球が第２左側クルーン部２０８の３つの貫通孔２０８Ａ、２０８Ｂ、２０８Ｃのうち一の貫通孔２０８Ｃに進入すると、第２左側誘導板２１４上に落下する。そして、遊技球は、第２左側誘導板２１４上を転動することにより、Ｖ入賞口７６に導かれる。この場合には、遊技球は、Ｖ入賞口７６に略入賞する。なお、第１左側クルーン部２０６に誘導された遊技球が他の２つの貫通孔２０６Ａ、２０６Ｂに進入すると、遊技球は、第２左側クルーン部２０８側ではなく、後側遊技領域７２の他の部位に導かれ易くなり、障害釘８４に接触しながら落下していくことになる。そして、この場合には、遊技球は、Ｖ入賞口７６に入賞し難くなる。
【００８８】
一方、後側遊技盤３０に誘導された遊技球が第１右側誘導板２０４上を転動すると、第１右側クルーン部２１０に誘導される。そして、第１右側クルーン部２１０に誘導された遊技球が３つの貫通孔２１０Ａ、２１０Ｂ、２１０Ｃのうち一の貫通孔２１０Ｃに進入すると、第２右側誘導板２１６に落下する。そして、遊技球は、第２右側誘導板２１６上を転動することにより、Ｖ入賞口７６に導かれる。この場合には、遊技球は、Ｖ入賞口７６に略入賞する。なお、第１右側クルーン部２１０に誘導された遊技球が他の２つの貫通孔２１０Ａ、２１０Ｂに進入すると、遊技球は、第２右側誘導板２１６ではなく、後側遊技領域７２の他の部位に導かれ易くなり、障害釘８４に接触しながら落下していくことになる。そして、この場合には、遊技球は、Ｖ入賞口７６に入賞し難くなる。
【００８９】
以上のように、本実施形態では、後側遊技盤３０全体が所謂誘導部材になっており、従来のハネモノタイプのパチンコ機と比較して、誘導部材が遊技盤（本実施形態では前側遊技盤２８に相当）から離れた構成になっている。このため、誘導部材を設けるために前側遊技盤２８のスペースを犠牲にすることがなく、前側遊技盤２８のスペース全体を遊技球が転動し得る領域にすることができる。また、後側遊技盤３０全体を誘導部材とすることにより、始動口当の配設位置に関わらず誘導部材を大型化することができるため、クルーン部、誘導板、障害釘を多く設けることができる。これにより、後側遊技盤３０を転動する遊技球の進路予測がますます困難になり、後側遊技盤３０における遊技性を高めることができる。
【００９０】
ここで、後側遊技盤３０の後側遊技領域７２に設けられる各クルーン部２０６、２０８、２１０、各誘導板２００、２１２、障害釘８４は、後側遊技領域７２全体に設けられていることが好ましく、特に、後側遊技盤３０の後側遊技領域７２上であって前側遊技盤２８の特別始動口５２と対応する部位とＶ入賞口７６との間の領域に多くの各クルーン部、各誘導板、障害釘を設けることが好ましい。これにより、後側遊技領域７２全体に誘導部材を配置させることができ、後側遊技領域７２全体を転動領域として利用することができる。この結果、遊技者は、遊技球の進路を予測することがますます困難になり、遊技に対する集中や興味が一層高まることになる。
【００９１】
なお、本実施形態では、Ｖ入賞口７６が後側遊技領域７２の下側部位に設けられている構成を示したが、この構成に限られることはない。例えば、Ｖ入賞口７６が後側遊技領域７２の高さ方向中央部位に設けられていてもよく、あるいは、Ｖ入賞口７６が後側遊技領域７２の左側部位又は右側部位に設けられていてもよい。特に、前側遊技領域４６の連通口５０から後側遊技領域７２に進入する遊技球の誘導入賞口対応部位Ｖ１とＶ入賞口７６との距離が大きいほど、後側遊技領域７２の全領域に亘って遊技球が転動することが可能になり、遊技球が転動可能な遊技領域を拡大することができる。
【００９２】
（３）制御回路の構成
次に、パチンコ機１０を構成する電子制御装置について説明する。
【００９３】
図７乃至図１０に示すように、電子制御装置１００は、主制御基板１０２と、払出制御基板１０４と、サブ制御基板１０６と、発射制御基板１０８と、を備えている。
【００９４】
図７に示すように、主制御基板１０２は、ＣＰＵ１０２Ａと、ＲＯＭ１０２Ｂと、を備えている。このＣＰＵ１０２Ａは、ＲＯＭ１０２Ｂに記憶されたデータに基づいて、一般電動役物ソレノイド１２２、大入賞口ソレノイド１２４、サブ制御基板１０６をそれぞれ制御する。また、主制御基板１０２のＣＰＵ１０２Ａは、遊技全体を司り主として遊技状態を判断するものであり、この判断した遊技状態に沿った遊技環境（演出態様）を実現させるように制御するサブ制御基板１０６及び払出制御基板１０４を直接的に制御する。また、主制御基板１０２のＣＰＵ１０２Ａは、アンプ基板１５６、装飾駆動基板１５８をサブ制御基板１０６を介して間接的に制御する。また、主制御基板１０２のＲＯＭ１０２Ｂには、ＣＰＵ１０２Ａにより実行される遊技全体の制御を実現するためのプログラムが記憶されている。
【００９５】
また、主制御基板１０２は、中継端子板１１０を介して、特別入賞検出用スイッチ１１２と、普通入賞検出用スイッチ１１４と、大入賞口スイッチ１１６と、カウントスイッチ１１８と、にそれぞれ電気的に接続されている。
【００９６】
また、主制御基板１０２は、中継端子板１２０を介して、一般電動役物ソレノイド１２２と、大入賞口ソレノイド１２４と、にそれぞれ電気的に接続されている。
【００９７】
払出制御基板１０４は、中継端子板１２６を介して、ガラス枠スイッチ１２８と、外部タンクスイッチ１３０と、タンクスイッチ１３２と、にそれぞれ電気的に接続されている。また、払出制御基板１０４は、中継端子板１３４を介して、エラーＬＥＤ２２Ｇ、２２Ｈに電気的に接続されている。また、払出制御基板１０４は、下皿満タンスイッチ１３８に電気的に接続されている。また、払出制御基板１０４は、中継端子板１４０を介して、球貸表示基板１４２と、球貸装置（ＣＲユニット）１４４と、にそれぞれ電気的に接続されている。
【００９８】
なお、球貸表示基板１４２には、球貸スイッチ１４６と、返却スイッチ１４８と、がそれぞれ電気的に接続されている。また、払出制御基板１０４は、中継端子板１５０を介して、払出モータ１５２と払出スイッチ１５４とにそれぞれ電気的に接続されている。さらに、払出制御基板１０４は、主制御基板１０２と発射制御基板１０８とにそれぞれ電気的に接続されている。
【００９９】
図７及び図８に示すように、サブ制御基板１０６は、アンプ基板１５６と、装飾駆動基板１５８と、演出ボタン基板１６０と、にそれぞれ電気的に接続されている。
【０１００】
また、サブ制御基板１０６は、主制御基板１０２からの制御信号に基づいて遊技の演出の制御を司るものである。また、サブ制御基板１０６は、ＣＰＵ１０６Ａと、ＲＯＭ１０６Ｂと、を備えている。サブ制御基板１０６のＣＰＵ１０６Ａは、主制御基板１０２からの制御信号を受けてアンプ基板１５６、装飾駆動基板１５８及び演出ボタン基板１６０などの各基板を制御する。また、ＲＯＭ１０６Ｂには、各基板の制御に必要なデータ（特に遊技の装飾に関する情報）が記憶されている。
【０１０１】
また、図８に示すように、アンプ基板１５６には、所定の効果音を出力する各種スピーカＳＰ１〜ＳＰ４が電気的に接続されている。また、装飾駆動基板１５８には、各種ＬＥＤ・ランプ２２Ｂ〜２２Ｆが電気的に接続されている。また、装飾駆動基板１５８は、サブ制御基板１０６からのコマンドを受けて遊技の装飾に関する制御を行うものである。また、演出ボタン基板１６０には、操作スイッチＳＷが電気的に接続されている。
【０１０２】
また、図９に示すように、主制御基板１０２、サブ制御基板１０６、払出制御基板１０４及び発射制御基板１０８には、各基板１０２、１０４、１０６、１０８に電力をそれぞれ供給するための電源基板１６８が接続されている。
【０１０３】
また、図１０に示すように、発射制御基板１０８には、発射駆動基板１７０を介して、発射モータ１７２と、発射停止スイッチ４０Ｂと、タッチスイッチ４０Ａと、がそれぞれ電気的に接続されている。また、発射制御基板１０８には、球送りソレノイド１７８が電気的に接続されている。
【０１０４】
（４）遊技制御処理
次に、本実施形態のパチンコ機による遊技制御処理について説明する。
【０１０５】
図２１に示すように、主制御基板１０２のＣＰＵ１０２Ａにより前側遊技盤２８の前側遊技領域４６に打ち出された遊技球が特別始動口５２又は普通始動口５８に入球したか否かが判断される（Ｓ１００）。遊技球が特別始動口５２又は普通始動口５８に入球したと判断されると（Ｓ１００：ＹＥＳ）、ＣＰＵ１０２Ａにより小当り遊技に関する抽選処理が実行される（Ｓ１１０）。この抽選処理は、ＣＰＵ１０２Ａにより実行され、ＣＰＵ１０２Ａが取得した乱数が当りの乱数か否かが判断される（Ｓ１２０）。ここで、本実施形態では、ＣＰＵ１０２Ａが取得するほとんどの乱数が当りの乱数であり、当選率は９６％以上となるように設定されている（残り４％はハズレとなる）。なお、本実施形態では、入球した始動口に応じて、当選後に発生する小当り遊技が異なる構成となっており、後述するように、遊技球が特別始動口５２に入球して当選すると、特別小当り遊技が発生し、遊技球が普通始動口５８に入球して当選すると、普通小当り遊技が発生する。
【０１０６】
小当り遊技に当選すると（Ｓ１２０：ＹＥＳ）、小当り遊技を実行する小当り遊技処理が開始される（Ｓ１３０）。ここで、本実施形態の小当り遊技処理として、遊技球が特別始動口５２に入球して当選すると、特別小当り遊技が発生し、一対の翼片部の開閉動作が複数回（２回）継続され、誘導入賞口４８の開口部４８Ｂが２回だけ開放する。一方、遊技球が普通始動口５８に入球して当選すると、普通小当り遊技が発生し、一対の翼片部の開閉動作が単数回（１回）継続され、誘導入賞口４８の開口部４８Ｂが１回だけ開放する。そして、遊技球が誘導入賞口４８の開口部４８Ｂに入球すると、遊技球は後側遊技盤３０に誘導され、後述するような後側遊技盤３０における遊技が可能になる。
【０１０７】
次に、主制御基板１０２のＣＰＵ１０２Ａにより大当り遊技か否かが判断される（Ｓ１４０）。ここで、大当り遊技は、後側遊技盤３０のＶ入賞口７６に遊技球が入賞するか否かにより判断される。後側遊技盤３０のＶ入賞口７６に遊技球が入賞した場合には、ＣＰＵ１０２Ａは大当り遊技と判断して（Ｓ１４０：ＹＥＳ）、大当り遊技処理が開始される（Ｓ１５０）。大当り遊技では、主制御基板１０２により大入賞口ソレノイド１２４が駆動制御されて、大入賞装置６０の開閉板６０Ｃの開閉動作が開始される。そして、開閉板６０Ｃの開閉動作に伴って、大入賞口６０Ｂが開放され、遊技球が大入賞口６０Ｂに入賞すると、大量の賞球が払い出される。一方、後側遊技盤３０のＶ入賞口７６に遊技球が入賞しない場合には、大当り遊技処理は開始されず（Ｓ１４０：ＮＯ）、大入賞口６０Ｂが開放されることはない。
【０１０８】
（５）遊技の概説
次に、本実施形態のパチンコ機１０における遊技について概説する。
【０１０９】
（前側遊技盤における遊技内容）
図４に示すように、発射ハンドル４０を回転させると、遊技球が発射されて外側レール４２と内側レール４４とで区画された領域Ｓから前側遊技盤２８の前側遊技領域４６に進入する。前側遊技領域４６に進入した遊技球は、前側遊技領域４６を下方向に向かって転動していくことになるが、遊技球が特別始動口５２又は普通始動口５８に入球するまでは、誘導入賞口４８の開口部４８Ｂが一対の翼片部により閉じられており、遊技球が誘導入賞口４８の開口部４８Ｂに入賞することはない。なお、前側遊技領域４６を転動する遊技球は、障害釘７０に衝突しながら、その転動軌跡が変化していくことになる。
【０１１０】
一方、遊技球が特別始動口５２又は普通始動口５８に入球すると、主制御基板１０２により一般電動役物ソレノイド１２２が駆動制御されて、誘導入賞口４８に設けられた一対の翼片部の開閉動作が所定回数（１回または２回）実行される。
【０１１１】
なお、遊技球が特別始動口５２又は普通始動口５８のいずれの始動口にも入球しない場合には、遊技球は最終的にアウト口６４に導かれてパチンコ機１０に回収される。
【０１１２】
（後側遊技盤における遊技内容）
図４及び図５に示すように、遊技球が誘導入賞口４８の開口部４８Ｂに入球すると、先ず、遊技球は誘導底面部４８Ｄに落下して、そこから後方の連通口５０に向かう。そして、遊技球が連通口５０を通過すると、遊技球は後側遊技盤３０に進入する。
【０１１３】
後側遊技盤３０に進入する遊技球は、誘導入賞口４８の連通口５０に対応する誘導入賞口対応部位Ｖ１に導かれる。誘導入賞口対応部位Ｖ１に導かれた遊技球は、後側遊技盤３０を下方に向かって転動していくことになる。このとき、上述した通り、遊技球は、各誘導板２００、２１２や各クルーン部２０６、２０８、２１０により後側遊技領域７２上の任意の方向に導かれるとともに、後側遊技盤３０に設けられた多数の障害釘８４に衝突してその転動軌跡を変化させながら、落下していくことになる。これにより、転動する遊技球の行方が遊技者に予測できず、Ｖ入賞口７６に入賞するか否かについて遊技者は期待と興奮を持って遊技に熱中することになる。
【０１１４】
遊技球がＶ入賞口７６に入賞すると大当りとなり、前述した大当り遊技が発生する。このように、本実施形態のパチンコ機１０では、後側遊技盤３０自体が２種入賞装置に相当するものになり、かつ広い遊技領域を確保できる。
【０１１５】
なお、遊技球がＶ入賞口７６に入賞しない場合には、遊技球は最終的にアウト口８２に導かれてパチンコ機１０に回収される。
【０１１６】
（６）第１実施形態のパチンコ機の作用及び効果
次に、本実施形態のパチンコ機の作用及び効果について説明する。
【０１１７】
図４乃至図６に示すように、２つの遊技盤２８、３０が前後に設けられているため、前側遊技領域４６と後側遊技領域７２を形成することができる。そして、遊技球を前側遊技領域４６から後側遊技領域７２に誘導可能にして、後側遊技領域７２にＶ入賞口７６と各種誘導部材を設けることで、後側遊技領域７２全体を従来のハネモノタイプの遊技機の可動入賞装置における誘導部材として利用することができる。
【０１１８】
特に、遊技球は誘導入賞口４８により後側遊技領域７２の上側部位に誘導されるので、遊技球は後側遊技盤３０上の後側遊技領域７２を上から下まで転動してＶ入賞口７６に入球することになる。このため、後側遊技領域７２を転動する遊技球の転動領域を、後側遊技盤３０の後側遊技領域７２の全遊技領域とすることができるため、後側遊技領域７２の全領域を遊技領域として最大限に利用することができる。
【０１１９】
また、前側遊技領域４６に設ける役物、釘、風車などは、大型の可変入球装置に制限されること無く自由に配置可能になるので、発射された遊技球が始動口（普通始動口および特別始動口）に到達するまでの転動経路を多様なものにすることができるとともに、遊技性が低下することを防止できる。
【０１２０】
また、大当りを発生させるＶ入賞口７６が後側遊技盤３０に設けられているため、遊技者から見れば、Ｖ入賞口７６が前側遊技盤２８の後方に位置することになる。前側遊技盤２８は透過性部材で構成されているが、Ｖ入賞口７６の前方（遊技者側）に前側遊技盤２８という物体が存在するため、遊技機前面側からは、ガラス扉枠を開放したとしても、直接Ｖ入賞口７６にアクセスすることができなくなる。このように、Ｖ入賞口７６は大当りを発生させる特別役物に該当するため、ゴト行為など不正行為の対象に成り易くなるが、遊技機前面側からＶ入賞口７６に直接アクセスし難くい構成としたことにより、不正行為を抑制するとともに防止することができる。
【０１２１】
（７）第２実施形態のパチンコ機
次に、本発明の第２実施形態のパチンコ機について説明する。
なお、第１実施形態のパチンコ機と重複する構成については同符号を付し、その説明を適宜省略する。
【０１２２】
第２実施形態のパチンコ機は、第１実施形態のパチンコ機１０の前側遊技盤２８の構成を変更したものである。第１実施形態のパチンコ機の構成と同様の構成については同符号を付し、その説明を省略する。
【０１２３】
図１１乃至図１３に示すように、第２実施形態のパチンコ機の前側遊技盤２８に設けられている誘導入賞口４８の誘導底面部４８Ｄが可動式になっている。すなわち、可動式誘導底面部（振分部材）８６の奥側端部には、回転軸（振分部材）８８が取り付けられている、この回転軸８８は、モータや歯車などの周知の駆動機構１８２により回転駆動されるものである。図１４に示すように、駆動機構１８２は、サブ制御基板１０６と電気的に接続されており、主制御基板１０２からのコマンドに基づいてサブ制御基板１０６により制御される。
【０１２４】
また、図１１に示すように、誘導入賞口４８の底部には、ワープ通路部材９０が接続されている。ワープ通路部材９０は、前側遊技盤２８上を上下方向に延在した中空状の箱状部材で構成されている。このワープ通路部材９０は、プラスチック樹脂などの無色透明な部材で構成されていることが好ましい。ワープ通路部材９０がプラスチック樹脂などの無色透明な部材で構成されていると、ワープ通路部材９０を落下していく遊技球を遊技者から視認することができるため、遊技に対する期待度が高まり、遊技に熱中することになる。
【０１２５】
図１２及び図１３に示すように、ワープ通路部材９０の上側端部は、ワープ通路部材９０と誘導入賞口４８の底部を接続する連通接続口として機能している。このため、誘導入賞口４８の底部を構成する可動式誘導底面部８６が前側遊技盤２８の前面部から前方に垂直に延在することで連通接続口を閉塞する。そして、この場合には、誘導入賞口４８に入球した遊技球は、ワープ通路部材９０に進入することなく、可動式誘導底面部８６から連通口５０を経て後述の通常進入部位Ｖ１に導かれることになる。
【０１２６】
一方、誘導入賞口４８の底部を構成する可動式誘導底面部８６が垂れ下がり、前側遊技盤２８の前面部と略平行に位置することで、連通接続口を開放する。そして、この場合には、誘導入賞口４８に入球した遊技球は、ワープ通路部材９０に進入して、ワープ底面部９０Ｂから後述の連通口９２を経て後述の特別進入部位Ｖ２に導かれることになる。
【０１２７】
ワープ通路部材９０は、前側遊技盤２８の前面部から前方に突出するように設けられており、前面遊技盤２８の前面部から前方（遊技者側）に向かって延在したワープ底面部９０Ｂと、ワープ底面部９０Ｂの前方端部から鉛直上方に延在したワープ通路部材本体９０Ａと、で構成されている。
【０１２８】
ここで、図１１に示すように、ワープ底面部９０Ｂと、誘導入賞口４８と、特別始動口５２と、Ｖ入賞口７６の位置関係については、ワープ底面部９０Ｂは、誘導入賞口４８と特別始動口５２との略中間の部位に設けられている。また、高さ方向について、誘導入賞口４８＞ワープ底面部９０Ｂ＞特別始動口５２＞Ｖ入賞口７６、という高さ関係（位置関係）が成立し、上記した４つの構成部材の中では、誘導入賞口４８が最も高い位置にあり、Ｖ入賞口７６が最も低い位置にある。
【０１２９】
また、図１３に示すように、前側遊技盤２８の前面部であってワープ底面部９０Ｂに対応する部位には、前側遊技盤２８を厚み方向に貫通した連通口９２が形成されている。この連通口２９は、帯状に開口して構成されており、遊技球の通過可能な程度の大きさに設定されている。なお、ワープ底面部９０Ｂは、連通口９２に向かって若干下り傾斜しており、ワープ底面部９０Ｂに落下した遊技球は、そのまま連通口９２に導かれることになる。
【０１３０】
ここで、図１２に示すように、誘導入賞口４８の可動式誘導底面部８６を経て後側遊技盤３０に進入する遊技球の進入部位Ｖ１（適宜、「通常進入部位Ｖ１」と称する）と、ワープ底面部９０Ｂを経て連通口９２から後側遊技盤３０に進入する遊技球の進入部位Ｖ２（適宜、「特別進入部位Ｖ２」と称する）との位置関係について説明する。
【０１３１】
通常進入部位Ｖ１は、後側遊技盤３０の後側遊技領域７２上の上側部位に形成されている。特別進入部位Ｖ２は、後側遊技盤３０の後側遊技領域７２上であって通常進入部位Ｖ１とＶ入賞口７６との略中間の部位に形成されている。このため、誘導入賞口４８から通常進入部位Ｖ１に導かれた遊技球は、各クルーン部２０６、２０８、２１０や誘導板２００、２１２、あるいは多数の障害釘８４によりその進路が妨害されることから、後側遊技盤３０を転動する遊技球の転動軌跡が頻繁に変化して、Ｖ入賞口７６に入賞する確率が大幅に低下することになる。
【０１３２】
一方、誘導入賞口４８から特別進入部位Ｖ２に導かれた遊技球は、特別進入部位Ｖ２とＶ入賞口７６との離間距離が短くなる分だけ、後側遊技盤３０を転動する遊技球に衝突する障害釘８４の数も少なくなる。特に、特別進入部位Ｖ２に導かれた遊技球は、特別進入部位Ｖ２が第２誘導板２１２寄りに位置している関係から、第２誘導板２１２に捕捉される確率が高くなり、Ｖ入賞口７６に導かれて入賞する確率が格段に上昇する。このように、遊技球が通常進入部位Ｖ１に導かれるか、あるいは特別進入部位Ｖ２に導かれるかで、Ｖ入賞口７６に入賞する確率が大きく異なることになる。
【０１３３】
以上のように、本実施形態のパチンコ機によれば、遊技球が通常進入部位Ｖ１に導かれるか、あるいは特別進入部位Ｖ２に導かれるかで、Ｖ入賞口７６に入賞する確率が大きく異なることから、誘導入賞口４８の開口部４８Ｂから可動式誘導底面部８６を経て連通口５０に至る通路をノーマルルート（第１通路）ＮＲとなり、誘導入賞口４８の開口部４８Ｂからワープ通路部材９０のワープ底面部９０Ｂを経て連通口９２に至る通路をスペシャルルート（第２通路）ＳＲとなる。そして、誘導入賞口４８の可動式誘導底面部８６は、誘導入賞口４８の開口部４８Ｂから入球した遊技球を、ノーマルルートＮＲ、あるいはスペシャルルートＳＲのいずれかに振り分けるための振分部材として機能している。
【０１３４】
（８）振分部材としての可動式誘導底面部８６の動作制御
ここで、遊技球の振分部材として機能する可動式誘導底面部８６の動作制御について説明する。
【０１３５】
図１４に示すように、可動式誘導底面部８６の回転軸８８の駆動制御は、主制御基板１０２からのコマンドに基づきサブ制御基板１０６により直接制御される駆動機構１８２によって実現される。
【０１３６】
具体的には、図７及び図１４に示すように、主制御基板１０６のＲＯＭ１０６Ｂに、ノーマルルートＮＲを実現するための任意の乱数（ノーマル数字）と、スペシャルルートＳＲを実現するための任意の乱数（スペシャル数字）と、を記憶させておき、主制御基板１０２が取得した乱数に基づいて、可動式誘導底面部８６の回転動作を制御する。また、誘導入賞口４８の開口部４８Ｂの近傍には、遊技球を検出するための誘導入賞口スイッチ（遊技球検出センサ）１８４が設けられている。そして、誘導入賞口スイッチ１８４により遊技球を検出した場合には、誘導入賞口スイッチ１８４から主制御基板１０２に対して乱数取得トリガーコマンドが出力される。乱数取得トリガーコマンドを受信した主制御基板１０２は、乱数取得トリガーコマンドを受信した時の乱数を取得することになる。
【０１３７】
これによれば、主制御基板１０２がノーマル数字となる乱数を取得すれば、主制御基板１０２からサブ制御基板１０６に対してノーマルコマンドが出力される。サブ制御基板１０６は、ノーマルコマンドを受け取ると、駆動機構１８２を制御して回転軸８８を回転駆動し、可動式誘導底面部８６が連通接続口を閉塞するように制御する。これにより、図１３に示すように、連通接続口が可動式誘導底面部８６により閉塞された状態になるので、誘導入賞口４８に入球した遊技球は、可動式誘導底面部８６に衝突してから連通口５０を通って後側遊技盤３０の通常進入部位Ｖ１（図１２参照）に進入する。
【０１３８】
一方、主制御基板１０２がスペシャル数字となる乱数を取得すれば、主制御基板１０２からサブ制御基板１０６に対してスペシャルコマンドが出力される。サブ制御基板１０６は、スペシャルコマンドを受け取ると、駆動機構１８２を制御して回転軸８８を回転駆動し、可動式誘導底面部８６が連通接続口を開放するように制御する。これにより、連通接続口が開放された状態になるので、誘導入賞口４８に入球した遊技球は、ワープ底面部９０Ｂに衝突してから連通口９２を通って後側遊技盤３０の特別進入部位Ｖ２に進入する。
【０１３９】
なお、遊技球の振り分けの基準として乱数を用いた構成に限られることはなく、例えば、遊技球が前側遊技盤２８の普通始動口５８に入球すると、遊技球が普通入賞検出用スイッチ１１４（図７参照）により検出され、この普通入賞検出用スイッチ１１４から主制御基板１０２に対してノーマルコマンドが出力される。そして、ノーマルコマンドを受信した主制御基板１０２は、駆動機構１８２を制御して回転軸８８を回転駆動し、可動式誘導底面部８６が連通接続口を閉塞するように制御してもよい。この場合には、遊技球が前側遊技盤２８の普通始動口５８に入球すると、誘導入賞口４８の開口部４８Ｂが１回のみにしか開放せず、さらに誘導入賞口４８の開口部４８Ｂに入球した遊技球は、必ず後側遊技盤３０の通常進入部位Ｖ１に導かれることになり、Ｖ入賞口７６に入賞する確率が低下する。
【０１４０】
また、例えば、遊技球が前側遊技盤２８の特別始動口５２に入球すると、遊技球が特別入賞検出用スイッチ１１２（図７参照）により検出され、この特別入賞検出用スイッチ１１２から主制御基板１０２に対してスペシャルコマンドが出力される。そして、スペシャルコマンドを受信した主制御基板１０２は、駆動機構１８２を制御して回転軸８８を回転駆動し、可動式誘導底面部８６が連通接続口を開放するように制御してもよい。この場合には、遊技球が前側遊技盤２８の特別始動口５２に入球すると、誘導入賞口４８の開口部４８Ｂが２回も開放するばかりか、誘導入賞口４８の開口部４８Ｂに入球した遊技球は、必ずワープ通路部材９０を落下してワープ底面部９０Ｂから後側遊技盤３０の特別進入部位Ｖ２に導かれることになるため、Ｖ入賞口７６に入賞する確率が大幅に向上することになる。
【０１４１】
なお、遊技球の振り分けの基準としては、上述したものに限られず、遊技機の主電源投入時から一定時間（例えば１０秒）毎に、可動式誘導底面部８６を所定時間（例えば２秒間）開放させるように制御してもよい。また、羽根部材４８が開放されている期間の所定期間（例えば羽根部材開放時から０．２秒経過後まで）だけ可動式誘導底面部８６を開放させるように制御してもよい。このようにすることで、遊技球が誘導入賞口４８に入球したタイミングによって、ワープ通路部材９０を落下するか否かが決定される。したがって、遊技球がワープ通路部材９０を落下するか否かをランダムにすることができ、遊技球が誘導入賞口４８に入球した瞬間の遊技興趣を高めることができる。
【０１４２】
（９）第２実施形態のパチンコ機の作用及び効果
第２実施形態のパチンコ機によれば、遊技者は、遊技球がノーマルルートＮＲ、あるいはスペシャルルートＳＲのどちらに振り分けられるかを期待と興奮を持って見守ることになる。この結果、遊技に対する集中力が高まり、遊技性を向上させることができる。
【０１４３】
また、図１３に示すように、遊技球を後側遊技領域７２に導く通路（ノーマルルートＮＲとスペシャルルートＳＲ）を２つ設けた構成でも、ノーマルルートＮＲ、スペシャルルートＳＲの各通路と振分部材としての可動式誘導底面部８６が前側遊技盤２８側に設けられているので、後側遊技盤３０側の後側遊技領域７２が狭くなる（犠牲になる）ことを防止できる。
【０１４４】
（１０）パチンコ機の変形例
次に、本発明のパチンコ機の変形例について説明する。
【０１４５】
（変形例１）
図１５乃至図１８に示すように、変形例１となるパチンコ機は、第２実施形態のパチンコ機の前側遊技盤２８のワープ通路部材９０の構造を変更したものである。なお、第２実施形態のパチンコ機の構成と重複する構成については同符号を付し、その説明を省略する。
【０１４６】
図１５に示すように、変形例１のパチンコ機のワープ通路部材９０は、上下方向の長さが長く設定されており、その下端部が特別始動口５２の近傍に位置している。換言すれば、高さ方向において、ワープ通路部材９０の下端部は、後側遊技盤３０のＶ入賞口７６の近傍部位に位置している。
【０１４７】
図１７に示すように、このワープ通路部材９０は、第２実施形態のワープ通路部材９０の下端部であるワープ底面部９０Ｂを可動式にしたものである。すなわち、ワープ通路部材９０の上下方向において略中間の部位に、第１ワープ誘導部２０２が設けられている。第１ワープ誘導部２０２の奥側端部には、回転軸２０４が取り付けられている、この回転軸２０４は、モータや歯車などの周知のワープ駆動機構１８６により回転駆動されるものである。図１８に示すように、ワープ駆動機構１８６は、サブ制御基板１０６と電気的に接続されており、主制御基板１０２からのコマンドに基づいてサブ制御基板１０６により制御される。
【０１４８】
第１ワープ誘導部２０２は、前側遊技盤２８の前面部から前方に垂直に延在することでワープ通路部材９０の内部空間を上下に区画する。この場合には、ワープ通路部材９０に入球した遊技球は、第１ワープ誘導部２０２に落下し、後方にある連通口９２を経て特別進入部位Ｖ２（図１８参照）に導かれることになる。
【０１４９】
一方、第１ワープ誘導部２０２が垂れ下がり、前側遊技盤２８の前面部と略平行に位置することで、ワープ通路部材９０の内部空間の区画を解除する。この場合には、遊技球はワープ通路部材９０をさらに下方まで落下する。そして、ワープ通路部材９０の下端部である第２ワープ誘導部２０６に落下した遊技球は、後方にある連通口２０８を経て後述のミラクル特別進入部位Ｖ３に導かれることになる。
【０１５０】
ここで、図１５及び図１７に示すように、第１ワープ誘導部２０２と、第２ワープ誘導部２０６と、誘導入賞口４８と、特別始動口５２と、Ｖ入賞口７６の位置関係については、第１ワープ誘導部２０２は、誘導入賞口４８と特別始動口５２との略中間の部位に設けられている。また、高さ方向について、誘導入賞口４８＞第１ワープ誘導部２０２＞第２ワープ誘導部２０６＞特別始動口５２＞Ｖ入賞口７６、という高さ関係（位置関係）が成立し、上記した４つの構成部材の中では、誘導入賞口４８が最も高い位置にあり、Ｖ入賞口７６が最も低い位置にある。
【０１５１】
また、前側遊技盤２８の前面部であって第２ワープ誘導部２０６に対応する部位には、前側遊技盤２８を厚み方向に貫通した連通口２０８が形成されている。この連通口２０８は、帯状に開口して構成されており、遊技球の通過可能な程度の大きさに設定されている。なお、第２ワープ誘導部２０６は、連通口２０８に向かって若干下り傾斜しており、第２ワープ誘導部２０６に落下した遊技球は、そのまま連通口２０８に導かれることになる。
【０１５２】
ここで、図１６に示すように、誘導入賞口４８の可動式誘導底面部８６を経て後側遊技盤３０に進入する遊技球の進入部位Ｖ１（適宜、「通常進入部位Ｖ１」と称する）と、第１ワープ誘導部２０２を経て連通口９２から後側遊技盤３０に進入する遊技球の進入部位Ｖ２（適宜、「特別進入部位Ｖ２」と称する）と、第２ワープ誘導部２０６を経て連通口２０８から後側遊技盤３０に進入する遊技球の進入部位Ｖ３（適宜、「ミラクル特別進入部位Ｖ３」と称する）と、の位置関係について説明する。
【０１５３】
図１６に示すように、通常進入部位Ｖ１は、後側遊技盤３０の後側遊技領域７２上の上側部位に形成されている。特別進入部位Ｖ２は、後側遊技盤３０の後側遊技領域７２上であって通常進入部位Ｖ１とＶ入賞口７６との略中間の部位に形成されている。さらに、ミラクル特別進入部位Ｖ３は、特別進入部位Ｖ２とＶ入賞口７６との略中間の部位（Ｖ入賞口７６の上側近傍部位）に形成されている。
【０１５４】
このため、図１６及び図１７に示すように、第２ワープ誘導部２０６からミラクル特別進入部位Ｖ３に導かれた遊技球は、ミラクル特別進入部位Ｖ３がＶ入賞口７６の上部近傍に位置し、ミラクル特別進入部位Ｖ３とＶ入賞口７６との離間距離が極めて短くなる分だけ、後側遊技盤３０を転動する遊技球に衝突する障害釘８４の数も極めて少なくなる。特に、ミラクル特別進入部位Ｖ３に導かれた遊技球は、後側遊技盤３０を転動するものの、第２誘導板２１２に略確実に捕捉され、Ｖ入賞口７６に導かれる。このため、後側遊技盤３０を転動する遊技球の転動軌跡の変化が極めて少なくなるとともに、Ｖ入賞口７６に略入賞することになる。このように、遊技球が通常進入部位Ｖ１に導かれるか、あるいは特別進入部位Ｖ２に導かれるか、はたまたミラクル特別進入部位Ｖ３に導かれるかで、Ｖ入賞口７６に入賞する確率が大きく異なることになる。
【０１５５】
以上のように、本変形例１のパチンコ機によれば、遊技球が通常進入部位Ｖ１に導かれるか、あるいは特別進入部位Ｖ２、さらにミラクル特別進入部位Ｖ３に導かれるかで、Ｖ入賞口７６に入賞する確率が極めて大きく異なることから、誘導入賞口４８の開口部４８Ｂから可動式誘導底面部８６を経て連通口５０に至る通路をノーマルルート（第１通路）ＮＲとなり、誘導入賞口４８の開口部４８Ｂからワープ通路部材９０の第１ワープ誘導部２０２を経て連通口９２に至る通路をスペシャルルート（第２通路）ＳＲとなり、誘導入賞口４８の開口部４８Ｂからワープ通路部材９０の第２ワープ誘導部２０６を経て連通口２０８に至る通路をスーパースペシャルルート（第３通路）ＳＳＲとなる。そして、誘導入賞口４８の可動式誘導底面部８６は、誘導入賞口４８の開口部４８Ｂから入球した遊技球を、ノーマルルートＮＲ、あるいはスペシャルルートＳＲのいずれかに振り分けるための振分部材として機能している。また、第１ワープ誘導部２０２は、誘導入賞口４８の開口部４８Ｂから入球した遊技球を、スペシャルルートＳＲ、あるいはスーパースペシャルルートＳＳＲのいずれかに振り分けるための振分部材として機能している。
【０１５６】
ここで、遊技球の振分部材として機能する可動式誘導底面部８６及び第１ワープ誘導部２０２の動作制御について説明する。
【０１５７】
図１８に示すように、可動式誘導底面部８６及び第１ワープ誘導部２０２の回転軸８８、２０４の駆動制御は、主制御基板１０２からのコマンドに基づきサブ制御基板１０６により直接制御される駆動機構１８２及びワープ駆動機構１８６によって実現される。
【０１５８】
具体的には、図７に示すように、主制御基板１０２のＲＯＭ１０２Ｂに、ノーマルルートＮＲを実現するための任意の乱数（ノーマル数字）と、スペシャルルートＳＲを実現するための任意の乱数（スペシャル数字）と、スーパースペシャルルートＳＳＲを実現するための任意の乱数（スーパースペシャル数字）と、を記憶させておき、主制御基板１０２が取得した乱数に基づいて、可動式誘導底面部８６及び第１ワープ誘導部９０の回転動作を制御する。また、図１８に示すように、誘導入賞口４８の開口部４８Ｂの近傍には、遊技球を検出するための誘導入賞口スイッチ（遊技球検出センサ）１８４が設けられている。そして、誘導入賞口スイッチ１８４により遊技球を検出した場合には、誘導入賞口スイッチ１８４から主制御基板１０２に対して乱数取得トリガーコマンドが出力される。乱数取得トリガーコマンドを受信した主制御基板１０２は、乱数取得トリガーコマンドを受信した時の乱数を取得することになる。
【０１５９】
これによれば、主制御基板１０２がノーマル数字となる乱数を取得すれば、主制御基板１０２からサブ制御基板１０６に対してノーマルコマンドが出力される。サブ制御基板１０６は、ノーマルコマンドを受け取ると、駆動機構１８２を制御して回転軸８８を回転駆動し、可動式誘導底面部８６が連通接続口を閉塞するように制御する。これにより、連通接続口が可動式誘導底面部８６により閉塞された状態になるので、誘導入賞口４８に入球した遊技球は、可動式誘導底面部８６に衝突してから連通口５０を通って後側遊技盤３０の通常進入部位Ｖ１に進入する。
【０１６０】
一方、主制御基板１０２がスペシャル数字となる乱数を取得すれば、主制御基板１０２からサブ制御基板１０６に対してスペシャルコマンドが出力される。サブ制御基板１０６は、スペシャルコマンドを受け取ると、駆動機構１８２を制御して回転軸８８を回転駆動し、可動式誘導底面部８６が連通接続口を開放するように制御する。また、同時に、サブ制御基板１０６は、スペシャルコマンドを受け取ると、ワープ駆動機構１８６を制御して回転軸２０４を回転駆動し、第１ワープ誘導部２０２がワープ通路部材９０の内部空間を区画するように制御する。これにより、連通接続口が開放され、かつ第１ワープ誘導部２０２でワープ通路部材９０の内部空間が区画された状態になるので、誘導入賞口４８に入球した遊技球は、第１ワープ誘導部２０２に衝突してから後方にある連通口９２を通って後側遊技盤３０の特別進入部位Ｖ２に進入する。
【０１６１】
さらに、主制御基板１０２がスーパースペシャル数字となる乱数を取得すれば、主制御基板１０２からサブ制御基板１０６に対してスーパースペシャルコマンドが出力される。サブ制御基板１０６は、スーパースペシャルコマンドを受け取ると、駆動機構１８２を制御して回転軸８８を回転駆動し、可動式誘導底面部８６が連通接続口を開放するように制御する。また、同時に、サブ制御基板１０６は、スーパースペシャルコマンドを受け取ると、ワープ駆動機構１８６を制御して回転軸２０４を回転駆動し、第１ワープ誘導部２０２がワープ通路部材９０の内部空間の区画を解除するように制御する。これにより、誘導入賞口４８に入球した遊技球は、ワープ通路部材９０の第２ワープ誘導部２０６まで落下する。そして、第２ワープ誘導部２０６から後方にある連通口２０８を通って後側遊技盤３０のミラクル特別進入部位Ｖ３に進入する。
【０１６２】
なお、遊技球の振り分けの基準として乱数を用いた構成に限られることはなく、例えば、図１５に示すように、遊技球が前側遊技盤２８の普通始動口５８に入球すると、遊技球が普通入賞検出用スイッチ１１４により検出され、この普通入賞検出用スイッチ１１４から主制御基板１０２に対してノーマルコマンドが出力される。そして、ノーマルコマンドを受信した主制御基板１０２は、駆動機構１８２を制御して回転軸８８を回転駆動し、可動式誘導底面部８６が連通接続口を閉塞するように制御してもよい。この場合には、遊技球が前側遊技盤２８の普通始動口５８に入球すると、誘導入賞口４８の開口部４８Ｂが１回のみにしか開放せず、さらに誘導入賞口４８の開口部４８Ｂに入球した遊技球は、必ず後側遊技盤３０の通常進入部位Ｖ１に導かれることになり、Ｖ入賞口７６に入賞する確率が低下する。
【０１６３】
一方、例えば、１個の遊技球が前側遊技盤２８の特別始動口５２に入球すると、遊技球が特別入賞検出用スイッチ１１２により検出され、この特別入賞検出用スイッチ１１２から主制御基板１０２に対してスペシャルコマンドが出力される。そして、スペシャルコマンドを受信した主制御基板１０２は、駆動機構１８２及びワープ駆動機構１８６を制御して回転軸８８、２０４を回転駆動し、可動式誘導底面部８６が連通接続口を開放し、同時に、第１ワープ誘導部２０２がワープ通路部材９０の内部空間を区画するように制御してもよい。この場合には、遊技球が前側遊技盤２８の特別始動口５２に入球すると、誘導入賞口４８の開口部４８Ｂが３回も開放するばかりか、誘導入賞口４８の開口部４８Ｂに入球した遊技球は、必ずワープ通路部材９０を落下して第１ワープ誘導部２０２から後側遊技盤３０の特別進入部位Ｖ２に導かれることになるため、Ｖ入賞口７６に入賞する確率が大幅に向上することになる。
【０１６４】
さらに、例えば、２個以上の遊技球が前側遊技盤２８の特別始動口５２に連続して入球すると、遊技球が特別入賞検出用スイッチ１１２により検出され、この特別入賞検出用スイッチ１１２から主制御基板１０２に対してスーパースペシャルコマンドが出力される。そして、スーパースペシャルコマンドを受信した主制御基板１０２は、駆動機構１８２及びワープ駆動機構１８６を制御して回転軸８８、２０４を回転駆動し、可動式誘導底面部８６が連通接続口を開放し、同時に、第１ワープ誘導部２０２がワープ通路部材９０の内部空間の区画を解除するように制御してもよい。この場合には、２個以上の遊技球が前側遊技盤２８の特別始動口５２に入球すると、誘導入賞口４８の開口部４８Ｂが３回も開放するばかりか、誘導入賞口４８の開口部４８Ｂに入球した遊技球は、必ずワープ通路部材９０を落下して第２ワープ誘導部２０６から後側遊技盤３０のミラクル特別進入部位Ｖ３に導かれることになるため、Ｖ入賞口７６に略入賞することになる。
【０１６５】
（変形例２）
図１９及び図２０に示すように、変形例２となるパチンコ機は、後側遊技盤３０の後側遊技領域７２上であって通常進入部位Ｖ１と特別進入部位Ｖ２とＶ入賞口７６を結ぶ軸上に、振分部材として機能する回転体を設けたものである。なお、各実施形態のパチンコ機の構成と重複する構成については説明を省略する。
【０１６６】
図１９及び図２０に示すように、変形例２となるパチンコ機の後側遊技盤３０には、２つの回転体２１０、２１２が設けられている。すなわち、後側遊技領域７２上であって通常進入部位Ｖ１と特別進入部位Ｖ２との間には、第１回転体２１０が軸回りに回転に設けられている。第１回転体２１０には、第１回転体２１０を上下方向に貫通する３つの貫通孔２１０Ａが形成されている。また、第１回転体２１０には第１回転駆動機構１８８が接続されており、第１回転駆動機構１８８により第１回転体２１０の回転が可能になる。
【０１６７】
第１回転体２１０が軸回りに回転すると、第１回転体２１０の上面に落下した遊技球は、落下したタイミングでいずれかの貫通孔２１０Ａに進入する。このときも、第１回転体２１０は回転しているが、貫通孔２１０Ａから落下すると、第１回転体２１０と第２回転体２１２との間にある第１特別領域Ｔ１には障害釘が設けられていないので、後述の第２回転体２１２の上面に落下するようになっている。
【０１６８】
後側遊技領域７２上であって通常進入部位Ｖ１と特別進入部位Ｖ２との間には、第２回転体２１２が軸回りに回転に設けられている。第２回転体２１２には、第２回転体２１２を上下方向に貫通する３つの貫通孔２１２Ａが形成されている。また、第２回転体２１２には第２回転駆動機構１９０が接続されており、第２回転駆動機構１９０により第２回転体２１２の回転が可能になる。
【０１６９】
第２回転体２１２が軸回りに回転すると、第２回転体２１２の上面に落下した遊技球は、落下したタイミングでいずれかの貫通孔２１２Ａに進入する。このときも、第２回転体２１２は回転しているが、貫通孔２１２Ａから落下すると、第２回転体２１２とＶ入賞口７６との間にある第２特別領域Ｔ２には障害釘が設けられていないので、Ｖ入賞口７６の真上の位置にきた第２回転体２１２の貫通孔２１２Ａから遊技球が落下すると、Ｖ入賞口７６に入賞し易くなる。
【０１７０】
以上のように、本変形例２のパチンコ機によれば、通常進入部位Ｖ１と特別進入部位Ｖ２とＶ入賞口７６を結ぶ軸上というＶ入賞口７６に入賞し易いルートに、後側遊技領域７２に遊技球を振り分ける回転体２１０、２１２がそれぞれ設けられているため、回転体２１０、２１２の回転動作との関係でＶ入賞口７６に入賞する確率が大きく異なることになる。このため、後側遊技盤３０における遊技についても、遊技者は期待と興奮を持って遊技球の行方を見守ることになり、遊技性の興趣を高めることができる。
【０１７１】
なお、後側遊技盤３０に回転体２１０、２１２などの大型役物を設ける場合には、前側遊技盤２８と後側遊技盤３０との間に介在するスペーサ部材（図３参照）３４の軸方向長さを長くすることが好ましい。スペーサ部材（図３参照）３４の軸方向長さを長くすると、前側遊技盤２８と後側遊技盤３０との離間距離が大きくなるため、後側遊技盤３０に比較的大型の役物を配置することができる。
【０１７２】
また、その他の変形例として、各実施形態では、２つの遊技盤２８、３０が前後方向に配置された構成を示したが、３つ以上の遊技盤を前後方向に所定の間隔をあけて配置してもよい。複数の遊技盤に連絡する手段を設ければ、その分だけ、遊技領域を拡大することができるため、遊技性を高めることができる。
【０１７３】
また、前述した実施形態および変形例では、Ｖ入賞口７６が後側遊技盤３０に固定されていたが、本発明はこれに限定されるものではなく、Ｖ入賞口７６を後側遊技領域７２内で移動可能に構成しても良い。例えば、後側遊技領域７２の左側端部から右側端部まで水平に連続して形成されるレール部材を設け、モータやソレノイド等の駆動手段によってＶ入賞口７６をレール部材に沿って水平移動するように構成する。また、Ｖ入賞口７６は、遊技機の電源投入時から常時水平移動させておく構成とする。このような構成にすることで、上述した実施形態におけるクルーン等の誘導部材によって、遊技球が後側遊技領域７２の左右端部方向に誘導されてしまった遊技球にも、Ｖ入賞口７６への入賞のチャンスを持たせることができる。また、Ｖ入賞口７６までの遊技球の転動経路として、後側遊技領域７２の隅々までを使用することができる。したがって、従来のハネモノタイプの遊技機における可動入賞装置と比べて、より広範囲の遊技球の転動領域を確保することができ、遊技者の興趣を高めることができる。
【図面の簡単な説明】
【０１７４】
【図１】本発明の第１実施形態に係る遊技機（パチンコ機）の斜視図である。
【図２】本発明の第１実施形態に係る遊技機（パチンコ機）の正面図である。
【図３】本発明の第１実施形態に係る遊技機（パチンコ機）において、外枠及び遊技機本体等を説明するための説明図である。
【図４】本発明の第１実施形態に係る遊技機（パチンコ機）の第１遊技盤（前側遊技盤）の正面図である。
【図５】本発明の第１実施形態に係る遊技機（パチンコ機）の第２遊技盤（後側遊技盤）の正面図である。
【図６】本発明の第１実施形態に係る遊技機（パチンコ機）の第１遊技盤（前側遊技盤）と第２遊技盤（後側遊技盤）の位置関係を説明するための断面図である。
【図７】本発明の第１実施形態に係る遊技機（パチンコ機）の電子制御装置の主要部の構成を示すブロック図である。
【図８】本発明の第１実施形態に係る遊技機（パチンコ機）の電子制御装置を構成するサブ制御基板を説明するための説明図である。
【図９】本発明の第１実施形態に係る遊技機（パチンコ機）の電子制御装置における電力の供給の流れを説明するための説明図である。
【図１０】本発明の第１実施形態に係る遊技機（パチンコ機）の電子制御装置を構成する発射制御基板を説明するための説明図である。
【図１１】本発明の第２実施形態に係る遊技機（パチンコ機）の第１遊技盤（前側遊技盤）の正面図である。
【図１２】本発明の第２実施形態に係る遊技機（パチンコ機）の第２遊技盤（後側遊技盤）の正面図である。
【図１３】本発明の第２実施形態に係る遊技機（パチンコ機）の第１遊技盤（前側遊技盤）と第２遊技盤（後側遊技盤）の位置関係を説明するための断面図である。
【図１４】本発明の第２実施形態に係る遊技機（パチンコ機）の電子制御装置を構成するサブ制御基板を説明するための説明図である。
【図１５】本発明の変形例１に係る遊技機（パチンコ機）の第１遊技盤（前側遊技盤）の正面図である。
【図１６】本発明の変形例１に係る遊技機（パチンコ機）の第２遊技盤（後側遊技盤）の正面図である。
【図１７】本発明の変形例１に係る遊技機（パチンコ機）の第１遊技盤（前側遊技盤）と第２遊技盤（後側遊技盤）の位置関係を説明するための断面図である。
【図１８】本発明の変形例１に係る遊技機（パチンコ機）の電子制御装置を構成するサブ制御基板を説明するための説明図である。
【図１９】本発明の変形例２に係る遊技機（パチンコ機）の第２遊技盤（後側遊技盤）の正面図である。
【図２０】本発明の変形例２に係る遊技機（パチンコ機）の電子制御装置を構成するサブ制御基板を説明するための説明図である。
【図２１】本発明の各実施形態に係る遊技機（パチンコ機）による遊技制御処理を示したフローチャートである。
【符号の説明】
【０１７５】
１０        パチンコ機（遊技機）
２２        前面枠（ガラス扉枠、ガラス扉）
２８        前後遊技盤（第１遊技盤）
３０        後側遊技盤（第２遊技盤）
４６        前側遊技領域（第１遊技領域）
４８        誘導入賞口
４８        羽根部材（開閉部材）
５２        特別始動口（始動口）
５８        普通始動口（始動口）
７２        後側遊技領域（第２遊技領域）
７６        Ｖ入賞口（特別入球口）
８４        障害釘（誘導部材）
８６        可動式誘導底面部（振分部材）
８８        回転軸（振分部材）
２００      第１誘導板（誘導部材）
２０６      第１左側クルーン部（誘導部材）
２０８      第２左側クルーン部（誘導部材）
２１０      第１右側クルーン部（誘導部材）
２１２      第２誘導板（誘導部材）
ＮＲ        ノーマルルート（第１通路）
ＳＲ        スペシャルルート（第２通路）
【図１】
2008259762.tif 000003
【図２】
2008259762.tif 000004
【図３】
2008259762.tif 000005
【図４】
2008259762.tif 000006
【図５】
2008259762.tif 000007
【図６】
2008259762.tif 000008
【図７】
2008259762.tif 000009
【図８】
2008259762.tif 000010
【図９】
2008259762.tif 000011
【図１０】
2008259762.tif 000012
【図１１】
2008259762.tif 000013
【図１２】
2008259762.tif 000014
【図１３】
2008259762.tif 000015
【図１４】
2008259762.tif 000016
【図１５】
2008259762.tif 000017
【図１６】
2008259762.tif 000018
【図１７】
2008259762.tif 000019
【図１８】
2008259762.tif 000020
【図１９】
2008259762.tif 000021
【図２０】
2008259762.tif 000022
【図２１】
2008259762.tif 000023